(57)【特許請求の範囲】
【請求項１】
第１の周波数において現在のページングサイクルの間にページをモニタすることと、
第２の周波数において第２のマルチキャスト／ブロードキャスト情報を受信するために前記現在のページングサイクルの後に前記第２の周波数に切り替わることと、前記第２のマルチキャスト／ブロードキャスト情報は、第２のシステム情報ブロック（ＳＩＢ）１３または第２のマルチキャスト制御チャネル（ＭＣＣＨ）の少なくとも１つを備える、
既定の時刻の前に前記第２の周波数において前記第２のマルチキャスト／ブロードキャスト情報を受信するように試みることと、前記既定の時刻は、前記第１の周波数において後続のページングサイクルで前記ページの少なくとも１つが受信されることができる、または前記第１の周波数において第１のマルチキャスト／ブロードキャスト情報が受信されることができるかの最先の時刻である、
後続のページングサイクルで前記ページをモニタし、前記第１の周波数において前記第１のマルチキャスト／ブロードキャスト情報を受信するために、前記第１の周波数に切り替え戻すことと、前記第１のマルチキャスト／ブロードキャスト情報は、第１のＳＩＢ１３または第１のＭＣＣＨの少なくとも１つを備える、
を備える、ワイヤレス通信の方法。
【請求項２】
前記第１の周波数においてマルチキャスト／ブロードキャストサービスを受信することと、
前記第２の周波数に切り替わるために前記第１の周波数において前記マルチキャスト／ブロードキャストサービスの前記第１のマルチキャスト／ブロードキャスト情報を受信することを控えることと、
前記第１の周波数において前記マルチキャスト／ブロードキャストサービスの前記第１のマルチキャスト／ブロードキャスト情報が受信されることができるたびに前記第１の周波数に切り替え戻すこととをさらに備える、請求項１に記載の方法。
【請求項３】
前記第２の周波数において前記第２のＳＩＢ１３を受信することと、
前記第２のＳＩＢ１３に基づいて前記第２の周波数において前記第２のＭＣＣＨを受信することと、ここで、前記第２のＭＣＣＨは、前記マルチキャスト／ブロードキャストサービスのセッションに関連する識別子を含む、
前記識別子が所望のセッションに関連するかどうかを判定することとをさらに備える、請求項１に記載の方法。
【請求項４】
前記識別子が前記所望のセッションに関連がないとき、前記方法は、後続のページングサイクルで前記ページをモニタし、前記既定の時刻の前に前記第１の周波数において前記第１のマルチキャスト／ブロードキャスト情報を受信するために、前記第１の周波数に切り替え戻すことをさらに備える、請求項３に記載の方法。
【請求項５】
前記識別子が前記所望のセッションに関連するとき、前記方法は、前記マルチキャスト／ブロードキャストサービスの前記所望のセッションを受信するために前記第２の周波数にとどまることをさらに備える、請求項３に記載の方法。
【請求項６】
前記第１のＳＩＢ１３、前記第２のＳＩＢ１３、前記第１のＭＣＣＨ、および第２のＭＣＣＨはマルチキャスト／ブロードキャストサービスに関連し、前記方法は、後続のページングサイクルにおいて前記ページをモニタし、前記第２の周波数において前記第２のＳＩＢ１３または前記第２のＭＣＣＨのうちの少なくとも１つを受信することなく前記第１の周波数において前記第１のマルチキャスト／ブロードキャスト情報を受信するために、前記既定の時刻に前記第１の周波数に切り替え戻すことをさらに備える、請求項１に記載の方法。
【請求項７】
前記第１のマルチキャスト／ブロードキャスト情報および前記第２のマルチキャスト／ブロードキャスト情報は、発展型マルチキャストブロードキャストマルチメディアサービス（ｅＭＢＭＳ）に関連するマルチキャスト／ブロードキャストエリア構成メッセージをさらに備える、請求項１に記載の方法。
【請求項８】
前記マルチキャスト／ブロードキャストエリア構成メッセージは、前記第１のＭＣＣＨおよび前記第２のＭＣＣＨ上で受信される、請求項７に記載の方法。
【請求項９】
前記第１のＭＣＣＨおよび前記第２のＭＣＣＨの繰返し周期は、後続のページングサイクルの開始と、現在のページングサイクルの開始との間の時間差に等しいページングサイクルの半分未満である、請求項８に記載の方法。
【請求項１０】
前記ページングサイクルは、最大のデフォルトページングサイクルに設定される、請求項９に記載の方法。
【請求項１１】
前記方法は、アイドル状態の間にマルチキャスト／ブロードキャストサービスを受信しないユーザ機器（ＵＥ）が実行する、請求項１に記載の方法。
【請求項１２】
無線フレーム境界およびシステムフレーム番号（ＳＦＮ）は、前記第１の周波数および前記第２の周波数において同期する、請求項１に記載の方法。
【請求項１３】
第１の周波数において現在のページングサイクルの間にページをモニタするための手段と、
第２の周波数において第２のマルチキャスト／ブロードキャスト情報を受信するために前記現在のページングサイクルの後に前記第２の周波数に切り替わるための手段と、前記第２のマルチキャスト／ブロードキャスト情報は、第２のシステム情報ブロック（ＳＩＢ）１３または第２のマルチキャスト制御チャネル（ＭＣＣＨ）の少なくとも１つを備える、
既定の時刻の前に前記第２の周波数において前記第２のマルチキャスト／ブロードキャスト情報を受信するように試みるための手段と、前記既定の時刻は、前記第１の周波数において後続のページングサイクルで前記ページの少なくとも１つが受信されることができる、または前記第１の周波数において第１のマルチキャスト／ブロードキャスト情報が受信されることができるかの最先の時刻である、
後続のページングサイクルで前記ページをモニタし、前記第１の周波数において前記第１のマルチキャスト／ブロードキャスト情報を受信するために、前記第１の周波数に切り替え戻すための手段と、前記第１のマルチキャスト／ブロードキャスト情報は、第１のＳＩＢ１３または第１のＭＣＣＨの少なくとも１つを備える、
を備える、ワイヤレス通信用の装置。
【請求項１４】
前記第１の周波数においてマルチキャスト／ブロードキャストサービスを受信するための手段と、
前記第２の周波数に切り替わるために前記第１の周波数において前記マルチキャスト／ブロードキャストサービスの前記第１のマルチキャスト／ブロードキャスト情報を受信することを控えるための手段と、
前記第１の周波数において前記マルチキャスト／ブロードキャストサービスの前記第１のマルチキャスト／ブロードキャスト情報が受信されることができるたびに前記第１の周波数に切り替え戻すための手段とをさらに備える、請求項１３に記載の装置。
【請求項１５】
前記第２の周波数において前記第２のＳＩＢ１３を受信するための手段と、
前記第２のＳＩＢ１３に基づいて前記第２の周波数において前記第２のＭＣＣＨを受信するための手段と、ここで、前記第２のＭＣＣＨは、前記マルチキャスト／ブロードキャストサービスのセッションに関連する識別子を含む、
前記識別子が所望のセッションに関連するかどうかを判定するための手段とをさらに備える、請求項１３に記載の装置。
【請求項１６】
前記識別子が前記所望のセッションに関連がないとき、前記切り替わるための手段は、後続のページングサイクルで前記ページをモニタし、前記既定の時刻の前に前記第１の周波数において前記第１のマルチキャスト／ブロードキャスト情報を受信するために、前記第１の周波数に切り替え戻す、請求項１５に記載の装置。
【請求項１７】
前記識別子が前記所望のセッションに関連するとき、前記切り替わるための手段は、前記マルチキャスト／ブロードキャストサービスの前記所望のセッションを受信するために前記第２の周波数にとどまる、請求項１５に記載の装置。
【請求項１８】
前記第１のＳＩＢ１３、前記第２のＳＩＢ１３、前記第１のＭＣＣＨ、および第２のＭＣＣＨはマルチキャスト／ブロードキャストサービスに関連し、前記装置は、後続のページングサイクルにおいて前記ページをモニタし、前記第２の周波数において前記第２のＳＩＢ１３または前記第２のＭＣＣＨのうちの少なくとも１つを受信することなく前記第１の周波数において前記第１のマルチキャスト／ブロードキャスト情報を受信するために、前記既定の時刻に前記第１の周波数に切り替え戻すための手段をさらに備える、請求項１３に記載の装置。
【請求項１９】
前記第１のマルチキャスト／ブロードキャスト情報および前記第２のマルチキャスト／ブロードキャスト情報は、発展型マルチキャストブロードキャストマルチメディアサービス（ｅＭＢＭＳ）に関連するマルチキャスト／ブロードキャストエリア構成メッセージをさらに備える、請求項１３に記載の装置。
【請求項２０】
前記マルチキャスト／ブロードキャストエリア構成メッセージは、前記第１のＭＣＣＨおよび前記第２のＭＣＣＨ上で受信される、請求項１９に記載の装置。
【請求項２１】
前記第１のＭＣＣＨおよび前記第２のＭＣＣＨの繰返し周期は、後続のページングサイクルの開始と、現在のページングサイクルの開始との間の時間差に等しいページングサイクルの半分未満である、請求項２０に記載の装置。
【請求項２２】
前記ページングサイクルは、最大のデフォルトページングサイクルに設定される、請求項２１に記載の装置。
【請求項２３】
前記装置は、アイドル状態の間にマルチキャスト／ブロードキャストサービスを受信しないユーザ機器（ＵＥ）である、請求項１３に記載の装置。
【請求項２４】
無線フレーム境界およびシステムフレーム番号（ＳＦＮ）は、前記第１の周波数および前記第２の周波数において同期する、請求項１３に記載の装置。
【請求項２５】
第１の周波数において現在のページングサイクルの間にページをモニタし、
第２の周波数において第２のマルチキャスト／ブロードキャスト情報を受信するために前記現在のページングサイクルの後に前記第２の周波数に切り替わり、前記第２のマルチキャスト／ブロードキャスト情報は、第２のシステム情報ブロック（ＳＩＢ）１３または第２のマルチキャスト制御チャネル（ＭＣＣＨ）の少なくとも１つを備える、
既定の時刻の前に前記第２の周波数において前記第２のマルチキャスト／ブロードキャスト情報を受信するように試み、前記既定の時刻は、前記第１の周波数において後続のページングサイクルで前記ページの少なくとも１つが受信されることができる、または前記第１の周波数において第１のマルチキャスト／ブロードキャスト情報が受信されることができるかの最先の時刻である、
後続のページングサイクルで前記ページをモニタし、前記第１の周波数において前記第１のマルチキャスト／ブロードキャスト情報を受信するために、前記第１の周波数に切り替え戻す、前記第１のマルチキャスト／ブロードキャスト情報は、第１のＳＩＢ１３または第１のＭＣＣＨの少なくとも１つを備える、
ように構成された処理システムを備える、ワイヤレス通信用の装置。
【請求項２６】
前記処理システムは、
前記第１の周波数においてマルチキャスト／ブロードキャストサービスを受信し、
前記第２の周波数に切り替わるために前記第１の周波数において前記マルチキャスト／ブロードキャストサービスの前記第１のマルチキャスト／ブロードキャスト情報を受信することを控え、
前記第１の周波数において前記マルチキャスト／ブロードキャストサービスの前記第１のマルチキャスト／ブロードキャスト情報が受信されることができるたびに前記第１の周波数に切り替え戻すようにさらに構成される、請求項２５に記載の装置。
【請求項２７】
前記処理システムは、
前記第２の周波数において前記第２のＳＩＢ１３を受信し、
前記マルチキャスト／ブロードキャストサービスのセッションに関連する識別子を含む前記第２のＭＣＣＨを、前記第２のＳＩＢ１３に基づいて前記第２の周波数において受信し、
前記識別子が所望のセッションに関連するかどうかを判定するようにさらに構成される、請求項２５に記載の装置。
【請求項２８】
前記識別子が前記所望のセッションに関連がないとき、前記処理システムは、後続のページングサイクルで前記ページをモニタし、前記既定の時刻の前に前記第１の周波数において前記第１のマルチキャスト／ブロードキャスト情報を受信するために、前記第１の周波数に切り替え戻すようにさらに構成される、請求項２７に記載の装置。
【請求項２９】
前記識別子が前記所望のセッションに関連するとき、前記処理システムは、前記マルチキャスト／ブロードキャストサービスの前記所望のセッションを受信するために前記第２の周波数にとどまるようにさらに構成される、請求項２７に記載の装置。
【請求項３０】
前記第１のＳＩＢ１３、前記第２のＳＩＢ１３、前記第１のＭＣＣＨ、および第２のＭＣＣＨはマルチキャスト／ブロードキャストサービスに関連し、前記処理システムは、後続のページングサイクルにおいて前記ページをモニタし、前記第２の周波数において前記第２のＳＩＢ１３または前記第２のＭＣＣＨのうちの少なくとも１つを受信することなく前記第１の周波数において前記第１のマルチキャスト／ブロードキャスト情報を受信するために、前記既定の時刻に前記第１の周波数に切り替え戻すようにさらに構成される、請求項２５に記載の装置。
【請求項３１】
前記第１のマルチキャスト／ブロードキャスト情報および前記第２のマルチキャスト／ブロードキャスト情報は、発展型マルチキャストブロードキャストマルチメディアサービス（ｅＭＢＭＳ）に関連するマルチキャスト／ブロードキャストエリア構成メッセージをさらに備える、請求項２５に記載の装置。
【請求項３２】
前記マルチキャスト／ブロードキャストエリア構成メッセージは、前記第１のＭＣＣＨおよび前記第２のＭＣＣＨ上で受信される、請求項３１に記載の装置。
【請求項３３】
前記第１のＭＣＣＨおよび前記第２のＭＣＣＨの繰返し周期は、後続のページングサイクルの開始と、現在のページングサイクルの開始との間の時間差に等しいページングサイクルの半分未満である、請求項３２に記載の装置。
【請求項３４】
前記ページングサイクルは、最大のデフォルトページングサイクルに設定される、請求項３３に記載の装置。
【請求項３５】
前記装置は、アイドル状態の間にマルチキャスト／ブロードキャストサービスを受信しないユーザ機器（ＵＥ）である、請求項２５に記載の装置。
【請求項３６】
無線フレーム境界およびシステムフレーム番号（ＳＦＮ）は、前記第１の周波数および前記第２の周波数において同期する、請求項２５に記載の装置。
【請求項３７】
第１の周波数において現在のページングサイクルの間にページをモニタすることと、
第２の周波数において第２のマルチキャスト／ブロードキャスト情報を受信するために前記現在のページングサイクルの後に前記第２の周波数に切り替わることと、前記第２のマルチキャスト／ブロードキャスト情報は、第２のシステム情報ブロック（ＳＩＢ）１３または第２のマルチキャスト制御チャネル（ＭＣＣＨ）の少なくとも１つを備える、
既定の時刻の前に前記第２の周波数において前記第２のマルチキャスト／ブロードキャスト情報を受信するように試みることと、前記既定の時刻は、前記第１の周波数において後続のページングサイクルで前記ページの少なくとも１つが受信されることができる、または前記第１の周波数において第１のマルチキャスト／ブロードキャスト情報が受信されることができるかの最先の時刻である、
後続のページングサイクルで前記ページをモニタし、前記第１の周波数において前記第１のマルチキャスト／ブロードキャスト情報を受信するために、前記第１の周波数に切り替え戻すことと、前記第１のマルチキャスト／ブロードキャスト情報は、第１のＳＩＢ１３または第１のＭＣＣＨの少なくとも１つを備える、
を行うためのコードを備える、ワイヤレス通信のためのコンピュータ実行可能なコードを記憶したコンピュータ可読媒体。
【発明の詳細な説明】
【関連出願】
【０００１】
関連出願の相互参照  
本出願は、本出願の譲受人に譲渡され、それらの内容全体が参照により本明細書に明確に組み込まれている、「ＤＩＳＣＯＶＥＲＩＮＧ  ＡＮ  ＥＶＯＬＶＥＤ  ＭＵＬＴＩＣＡＳＴ  ＢＲＯＡＤＣＡＳＴ  ＭＵＬＴＩＭＥＤＩＡ  ＳＥＲＶＩＣＥ  ＩＮ  ＳＩＮＧＬＥ  ＯＲ  ＤＵＡＬ  ＢＡＮＤ  ＬＴＥ」と題する、２０１１年１０月２８日に出願された米国仮出願第６１／５５３，１１６号、および「ＤＩＳＣＯＶＥＲＩＮＧ  ＡＮ  ＥＶＯＬＶＥＤ  ＭＵＬＴＩＣＡＳＴ  ＢＲＯＡＤＣＡＳＴ  ＭＵＬＴＩＭＥＤＩＡ  ＳＥＲＶＩＣＥ  ＩＮ  ＳＩＮＧＬＥ  ＯＲ  ＤＵＡＬ  ＢＡＮＤ  ＬＴＥ」と題する、２０１２年１月１０日に出願された米国特許出願第１３／３４６，９３６号の利益を主張するものである。
【技術分野】
【０００２】
本開示は、一般に、通信システムに関し、より詳細には、シングルバンドまたはデュアルバンドのロングタームエボリューション（ＬＴＥ）において発展型マルチキャストブロードキャストマルチメディアサービス（ｅＭＢＭＳ）を発見することに関する。
【背景技術】
【０００３】
ワイヤレス通信システムは、電話、ビデオ、データ、メッセージング、およびブロードキャストなどの様々な電気通信サービスを提供するために広く展開されている。典型的なワイヤレス通信システムは、利用可能なシステムリソース（たとえば、帯域幅、送信電力）を共有することによって複数のユーザとの通信をサポートすることが可能な多元接続技術を採用し得る。そのような多元接続技術の例には、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、および時分割同期符号分割多元接続（ＴＤ−ＳＣＤＭＡ）システムがある。
【０００４】
これらの多元接続技術は、異なるワイヤレスデバイスが都市、国家、地域、さらには地球規模で通信することを可能にする共通プロトコルを与えるために様々な電気通信規格において採用されている。新生の電気通信規格の一例はロングタームエボリューション（ＬＴＥ）である。ＬＴＥは、第３世代パートナーシッププロジェクト（３ＧＰＰ）によって公表されたユニバーサルモバイルテレコミュニケーションシステム（ＵＭＴＳ）モバイル規格の拡張セットである。ＬＴＥは、スペクトル効率を改善することによってモバイルブロードバンドインターネットアクセスをより良くサポートし、コストを下げ、サービスを改善し、新しいスペクトルを利用し、かつ、ダウンリンク（ＤＬ）上ではＯＦＤＭＡを、アップリンク（ＵＬ）上ではＳＣ−ＦＤＭＡを使用し、多入力多出力（ＭＩＭＯ）アンテナ技術を使用して他のオープン規格とより良く統合するように設計されている。しかしながら、モバイルブロードバンドアクセスに対する需要が増加し続けるにつれて、ＬＴＥ技術のさらなる改善が必要である。好ましくは、これらの改善は、他の多元接続技術と、これらの技術を採用する電気通信規格とに適用可能であるべきである。
【発明の概要】
【０００５】
本開示のある態様では、方法、コンピュータプログラム製品、および装置が提供される。本装置は、第１の周波数において現在のページングサイクルの間にページをモニタする。加えて、本装置は、第２の周波数においてマルチキャスト／ブロードキャスト情報を受信するために現在のページングサイクルの後に第２の周波数に切り替わる。さらに、本装置は、既定の時刻の前に第２の周波数においてマルチキャスト／ブロードキャスト情報を受信するように試みる。
【図面の簡単な説明】
【０００６】
【図１】ネットワークアーキテクチャの一例を示す図。
【図２】アクセスネットワークの一例を示す図。
【図３】ＬＴＥにおけるＤＬフレーム構造の一例を示す図。
【図４】ＬＴＥにおけるＵＬフレーム構造の一例を示す図。
【図５】ユーザプレーンおよび制御プレーンのための無線プロトコルアーキテクチャの一例を示す図。
【図６】アクセスネットワーク中の発展型ノードＢおよびユーザ機器の一例を示す図。
【図７】マルチメディアブロードキャストオーバー単一周波数ネットワーク（Multi-Media Broadcast over a Single Frequency Network）中の発展型マルチキャストブロードキャストマルチメディアサービスを示す図。
【図８】１つまたは２つの帯域上の第１および第２の周波数を示す図。
【図９】ＬＴＥにおいてｅＭＢＭＳサービスを発見する例示的な方法を示すための図。
【図１０】ＬＴＥにおけるｅＭＢＭＳサービスを発見する別の例示的な方法を示すための図。
【図１１】ワイヤレス通信の第１の方法のフローチャート。
【図１２】ワイヤレス通信の第２の方法のフローチャート。
【図１３】ワイヤレス通信の第３の方法のフローチャート。
【図１４】ワイヤレス通信の第４の方法のフローチャート。
【図１５】ワイヤレス通信の第５の方法のフローチャート。
【図１６】例示的な装置中の異なるモジュール／手段／構成要素間のデータフローを示す概念データフロー図。
【図１７】処理システムを用いる装置のためのハードウェア実装形態の一例を示す図。
【発明を実施するための形態】
【０００７】
添付の図面に関して以下に示す発明を実施するための形態は、様々な構成を説明するものであり、本明細書で説明する概念が実施され得る唯一の構成を表すものではない。発明を実施するための形態は、様々な概念の完全な理解を与えるための具体的な詳細を含む。ただし、これらの概念はこれらの具体的な詳細なしに実施され得ることが当業者には明らかであろう。いくつかの例では、そのような概念を不明瞭にしないように、よく知られている構造および構成要素をブロック図の形式で示す。
【０００８】
次に、様々な装置および方法に関して電気通信システムのいくつかの態様を提示する。これらの装置および方法について、以下の詳細な説明において説明し、（「要素」と総称される）様々なブロック、モジュール、構成要素、回路、ステップ、プロセス、アルゴリズムなどによって添付の図面に示す。これらの要素は、電子ハードウェア、コンピュータソフトウェア、またはそれらの任意の組合せを使用して実装され得る。そのような要素をハードウェアとして実装するか、またはソフトウェアとして実装するかは、特定の適用例および全体的なシステムに課された設計制約に依存する。
【０００９】
例として、要素、または要素の任意の部分、または要素の任意の組合せは、１つまたは複数のプロセッサを含む「処理システム」を用いて実装され得る。プロセッサの例には、マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、状態機械、ゲート論理、個別ハードウェア回路、および本開示全体にわたって説明する様々な機能を実施するように構成された他の好適なハードウェアがある。処理システム中の１つまたは複数のプロセッサは、ソフトウェアを実行し得る。ソフトウェアは、ソフトウェア、ファームウェア、ミドルウェア、マイクロコード、ハードウェア記述言語などの名称にかかわらず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ、関数などを意味すると広く解釈されたい。
【００１０】
したがって、１つまたは複数の例示的な実施形態では、説明する機能は、ハードウェア、ソフトウェア、ファームウェア、またはそれらの任意の組合せで実装され得る。ソフトウェアで実装した場合、機能は、コンピュータ可読媒体上に記憶されるか、またはコンピュータ可読媒体上に１つまたは複数の命令またはコードとして符号化され得る。コンピュータ可読媒体はコンピュータ記憶媒体を含む。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ−ＲＯＭもしくは他の光ディスクストレージ、磁気ディスクストレージもしくは他の磁気記憶デバイス、または命令またはデータ構造の形態の所望のプログラムコードを搬送または記憶するために使用でき、コンピュータによってアクセスできる任意の他の媒体を備えることができる。本明細書で使用するディスク（disk）およびディスク（disc）は、コンパクトディスク（disc）（ＣＤ）、レーザディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ディスク（disk）は、通常、データを磁気的に再生し、ディスク（disc）は、データをレーザで光学的に再生する。上記の組合せもコンピュータ可読媒体の範囲内に含めるべきである。
【００１１】
図１は、ＬＴＥネットワークアーキテクチャ１００を示す図である。ＬＴＥネットワークアーキテクチャ１００は、発展型パケットシステム（ＥＰＳ）１００と呼ばれる場合がある。ＥＰＳ１００は、１つまたは複数のユーザ機器（ＵＥ）１０２と、発展型ＵＭＴＳ地上波無線アクセスネットワーク（Ｅ−ＵＴＲＡＮ）１０４と、発展型パケットコア（ＥＰＣ）１１０と、ホーム加入者サーバ（ＨＳＳ）１２０と、事業者のＩＰサービス１２２とを含み得る。ＥＰＳは他のアクセスネットワークと相互接続することができるが、簡単のために、それらのエンティティ／インターフェースは図示していない。図示のように、ＥＰＳはパケット交換サービスを提供するが、当業者なら容易に諒解するように、本開示全体にわたって提示する様々な概念は、回線交換サービスを提供するネットワークに拡張され得る。
【００１２】
Ｅ−ＵＴＲＡＮは、発展型ノードＢ（ｅＮＢ）１０６と他のｅＮＢ１０８とを含む。ｅＮＢ１０６は、ＵＥ１０２に対してユーザプレーンプロトコル終端と制御プレーンプロトコル終端とを与える。ｅＮＢ１０６は、Ｘ２インターフェース（たとえば、バックホール）を介して他のｅＮＢ１０８に接続され得る。ｅＮＢ１０６は、基地局、送受信基地局、無線基地局、無線トランシーバ、トランシーバ機能、基本サービスセット（ＢＳＳ：basic service set）、拡張サービスセット（ＥＳＳ：extended service set）、または何らかの他の好適な用語で呼ばれることもある。ｅＮＢ１０６は、ＵＥ１０２にＥＰＣ１１０へのアクセスポイントを与える。ＵＥ１０２の例には、セルラーフォン、スマートフォン、セッション開始プロトコル（ＳＩＰ：session initiation protocol）電話、ラップトップ、携帯情報端末（ＰＤＡ）、衛星無線、全地球測位システム、マルチメディアデバイス、ビデオデバイス、デジタルオーディオプレーヤ（たとえば、ＭＰ３プレーヤ）、カメラ、ゲーム機、または任意の他の同様の機能デバイスがある。ＵＥ１０２は、当業者によって、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語で呼ばれることもある。
【００１３】
ｅＮＢ１０６は、Ｓ１インターフェースによってＥＰＣ１１０に接続される。ＥＰＣ１１０は、モビリティ管理エンティティ（ＭＭＥ：Mobility Management Entity）１１２と、他のＭＭＥ１１４と、サービングゲートウェイ１１６と、パケットデータネットワーク（ＰＤＮ：Packet Data Network）ゲートウェイ１１８とを含む。ＭＭＥ１１２は、ＵＥ１０２とＥＰＣ１１０との間のシグナリングを処理する制御ノードである。概して、ＭＭＥ１１２は、ベアラおよび接続管理を行う。すべてのユーザＩＰパケットは、サービングゲートウェイ１１６を通して転送され、サービングゲートウェイ１１６自体はＰＤＮゲートウェイ１１８に接続される。ＰＤＮゲートウェイ１１８は、ＵＥのＩＰアドレス割振りならびに他の機能を与える。ＰＤＮゲートウェイ１１８は、事業者のＩＰサービス１２２に接続される。事業者のＩＰサービス１２２は、インターネットと、イントラネットと、ＩＰマルチメディアサブシステム（ＩＭＳ：IP Multimedia Subsystem）と、ＰＳストリーミングサービス（ＰＳＳ：PS Streaming Service）とを含み得る。
【００１４】
図２は、ＬＴＥネットワークアーキテクチャにおけるアクセスネットワーク２００の一例を示す図である。この例では、アクセスネットワーク２００は、いくつかのセルラー領域（セル）２０２に分割される。１つまたは複数のより低い電力クラスのｅＮＢ２０８は、セル２０２のうちの１つまたは複数と重複するセルラー領域２１０を有し得る。より低い電力クラスのｅＮＢ２０８は、リモートラジオヘッド（ＲＲＨ：remote radio head）と呼ばれることがある。より低い電力クラスのｅＮＢ２０８は、フェムトセル（たとえば、ホームｅＮＢ（ＨｅＮＢ））、ピコセル、またはマイクロセルであり得る。マクロｅＮＢ２０４は各々、それぞれのセル２０２に割り当てられ、セル２０２中のすべてのＵＥ２０６にＥＰＣ１１０へのアクセスポイントを与えるように構成される。アクセスネットワーク２００のこの例には集中コントローラはないが、代替構成では集中コントローラが使用され得る。ｅＮＢ２０４は、無線ベアラ制御、承認制御、モビリティ制御、スケジューリング、セキュリティ、およびサービングゲートウェイ１１６への接続性を含む、すべての無線関係機能を担う。
【００１５】
アクセスネットワーク２００によって採用される変調および多元接続方式は、展開されている特定の電気通信規格に応じて異なり得る。ＬＴＥ適用例では、周波数分割複信（ＦＤＤ：frequency division duplexing）と時分割複信（ＴＤＤ：time division duplexing）の両方をサポートするために、ＯＦＤＭがＤＬ上で使用され、ＳＣ−ＦＤＭＡがＵＬ上で使用される。当業者なら以下の詳細な説明から容易に諒解するように、本明細書で提示する様々な概念は、ＬＴＥ適用例に好適である。ただし、これらの概念は、他の変調および多元接続技法を採用する他の電気通信規格に容易に拡張され得る。例として、これらの概念は、エボリューション−データオプティマイズド（ＥＶ−ＤＯ）またはウルトラモバイルブロードバンド（ＵＭＢ）に拡張され得る。ＥＶ−ＤＯおよびＵＭＢは、ＣＤＭＡ２０００規格ファミリーの一部として第３世代パートナーシッププロジェクト２（３ＧＰＰ２）によって公表されたエアインターフェース規格であり、ＣＤＭＡを利用して移動局にブロードバンドインターネットアクセスを提供する。これらの概念はまた、広帯域ＣＤＭＡ（Ｗ−ＣＤＭＡ）、およびＴＤ−ＳＣＤＭＡ、ＴＤＭＡを採用するグローバルシステムフォーモバイルコミュニケーション（ＧＳＭ）（登録商標）、およびエボルブドＵＴＲＡ（Ｅ−ＵＴＲＡ）など、ＣＤＭＡの他の変形体を採用するユニバーサルテレストリアルラジオアクセス（ＵＴＲＡ）、ＩＥＥＥ８０２．１１（Ｗｉ−Ｆｉ）、ＩＥＥＥ８０２．１６（ＷｉＭＡＸ）、ＩＥＥＥ８０２．２０、およびＯＦＤＭＡを採用するＦｌａｓｈ−ＯＦＤＭに拡張され得る。ＵＴＲＡ、Ｅ−ＵＴＲＡ、ＵＭＴＳ、ＬＴＥおよびＧＳＭは、３ＧＰＰという組織からの文書に記載されている。ＣＤＭＡ２０００およびＵＭＢは、３ＧＰＰ２という組織からの文書に記載されている。採用される実際のワイヤレス通信規格および多元接続技術は、特定の適用例およびシステムに課せられる全体的な設計制約に依存することになる。
【００１６】
ｅＮＢ２０４は、ＭＩＭＯ技術をサポートする複数のアンテナを有し得る。ＭＩＭＯ技術の使用により、ｅＮＢ２０４は、空間多重化、ビームフォーミング、および送信ダイバーシティをサポートするために空間領域を活用することが可能になる。空間多重化は、データの異なるストリームを同じ周波数上で同時に送信するために使用され得る。データストリームは、データレートを増加させるために単一のＵＥ２０６に送信されるか、または全体的なシステム容量を増加させるために複数のＵＥ２０６に送信され得る。これは、各データストリームを空間的にプリコードし（すなわち、振幅および位相のスケーリングを適用し）、次いでＤＬ上で複数の送信アンテナを通して空間的にプリコードされた各ストリームを送信することによって達成される。空間的にプリコードされたデータストリームは、異なる空間シグナチャとともに（１つまたは複数の）ＵＥ２０６に到着し、これにより、（１つまたは複数の）ＵＥ２０６の各々がそのＵＥ２０６に宛てられた１つまたは複数のデータストリームを復元することが可能になる。ＵＬ上で、各ＵＥ２０６は、空間的にプリコードされたデータストリームを送信し、これにより、ｅＮＢ２０４は、空間的にプリコードされた各データストリームのソースを識別することが可能になる。
【００１７】
空間多重化は、概して、チャネル状態が良好であるときに使用される。チャネル状態があまり良好でないときは、送信エネルギーを１つまたは複数の方向に集中させるためにビームフォーミングが使用され得る。これは、複数のアンテナを通して送信するためのデータを空間的にプリコーディングすることによって達成され得る。セルのエッジにおいて良好なカバレージを達成するために、送信ダイバーシティと組み合わせてシングルストリームビームフォーミング送信が使用され得る。
【００１８】
以下の詳細な説明では、ＤＬ上でＯＦＤＭをサポートするＭＩＭＯシステムを参照しながらアクセスネットワークの様々な態様について説明する。ＯＦＤＭは、ＯＦＤＭシンボル内のいくつかのサブキャリアを介してデータを変調するスペクトル拡散技法である。サブキャリアは、正確な周波数で離間する。離間は、受信機がサブキャリアからデータを復元することを可能にする「直交性」を与える。時間領域では、ＯＦＤＭシンボル間干渉をなくすために、ガードインターバル（たとえば、サイクリックプレフィックス）が各ＯＦＤＭシンボルに追加され得る。ＵＬは、高いピーク対平均電力比（ＰＡＰＲ：peak-to-average power ratio）を補償するために、ＳＣ−ＦＤＭＡをＤＦＴ拡散ＯＦＤＭ信号の形態で使用し得る。
【００１９】
図３は、ＬＴＥにおけるＤＬフレーム構造の一例を示す図３００である。フレーム（１０ｍｓ）は、等しいサイズの１０個のサブフレームに分割され得る。各サブフレームは、２つの連続するタイムスロットを含み得る。２つのタイムスロットを表すためにリソースグリッドが使用され得、各タイムスロットはリソースブロックを含む。リソースグリッドは複数のリソース要素に分割される。ＬＴＥでは、リソースブロックは、周波数領域中に１２個の連続サブキャリアを含んでおり、各ＯＦＤＭシンボル中のノーマルサイクリックプレフィックスについて、時間領域中に７個の連続ＯＦＤＭシンボル、または８４個のリソース要素を含んでいる。拡張サイクリックプレフィックスについて、リソースブロックは、時間領域中に６個の連続ＯＦＤＭシンボルを含んでおり、７２個のリソース要素を有する。Ｒ３０２、３０４として示されるリソース要素のいくつかはＤＬ基準信号（ＤＬ−ＲＳ：DL reference signal）を含む。ＤＬ−ＲＳは、（共通ＲＳと呼ばれることもある）セル固有ＲＳ（ＣＲＳ：Cell-specific RS）３０２と、ＵＥ固有ＲＳ（ＵＥ−ＲＳ：UE-specific RS）３０４とを含む。ＵＥ−ＲＳ３０４は、対応する物理ＤＬ共有チャネル（ＰＤＳＣＨ：physical DL shared channel）がマッピングされるリソースブロック上でのみ送信される。各リソース要素によって搬送されるビット数は変調方式に依存する。したがって、ＵＥが受信するリソースブロックが多いほど、および変調方式が高いほど、ＵＥのデータレートは高くなる。
【００２０】
図４は、ＬＴＥにおけるＵＬフレーム構造の一例を示す図４００である。ＵＬのための利用可能なリソースブロックは、データセクションと制御セクションとに区分され得る。制御セクションは、システム帯域幅の２つのエッジにおいて形成され得、かつ構成可能なサイズを有し得る。制御セクション中のリソースブロックは、制御情報を送信するためにＵＥに割り当てられ得る。データセクションは、制御セクション中に含まれないすべてのリソースブロックを含み得る。ＵＬフレーム構造は、データセクション中の連続するサブキャリアのすべてを単一のＵＥに割り当てることを可能にし得る連続サブキャリアを含むデータセクションを生じる。
【００２１】
ＵＥには、ｅＮＢに制御情報を送信するために、制御セクション中のリソースブロック４１０ａ、４１０ｂが割り当てられ得る。ＵＥには、ｅＮＢにデータを送信するために、データセクション中のリソースブロック４２０ａ、４２０ｂも割り当てられ得る。ＵＥは、制御セクション中の割り当てられたリソースブロック上の物理ＵＬ制御チャネル（ＰＵＣＣＨ：physical uplink control channel）中で制御情報を送信し得る。ＵＥは、データセクション中の割り当てられたリソースブロック上の物理ＵＬ共有チャネル（ＰＵＳＣＨ：physical uplink shared channel）中でデータのみまたはデータと制御情報の両方を送信し得る。ＵＬ送信は、サブフレームの両方のスロットにわたり得、かつ周波数上でホッピングし得る。
【００２２】
初期システムアクセスを実行し、物理ランダムアクセスチャネル（ＰＲＡＣＨ：physical random access channel）４３０中でＵＬ同期を達成するためにリソースブロックのセットが使用され得る。ＰＲＡＣＨ４３０は、ランダムシーケンスを搬送し、いかなるＵＬデータ／シグナリングも搬送することができない。各ランダムアクセスプリアンブルは、６つの連続するリソースブロックに対応する帯域幅を占有する。開始周波数はネットワークによって指定される。すなわち、ランダムアクセスプリアンブルの送信は、ある時間リソースおよび周波数リソースに制限される。周波数ホッピングはＰＲＡＣＨにはない。ＰＲＡＣＨ試みは単一のサブフレーム（１ｍｓ）中でまたは少数の連続サブフレームのシーケンス中で搬送され、ＵＥは、フレーム（１０ｍｓ）ごとに単一のＰＲＡＣＨ試みだけを行うことができる。
【００２３】
図５は、ＬＴＥにおけるユーザプレーンおよび制御プレーンのための無線プロトコルアーキテクチャの一例を示す図５００である。ＵＥおよびｅＮＢのための無線プロトコルアーキテクチャは、レイヤ１、レイヤ２、およびレイヤ３の３つのレイヤとともに示されている。レイヤ１（Ｌ１レイヤ）は最下位レイヤであり、様々な物理レイヤ信号処理機能を実装する。Ｌ１レイヤを本明細書では物理レイヤ５０６と呼ぶ。レイヤ２（Ｌ２レイヤ）５０８は、物理レイヤ５０６の上にあり、物理レイヤ５０６を介したＵＥとｅＮＢとの間のリンクを担う。
【００２４】
ユーザプレーンでは、Ｌ２レイヤ５０８は、ネットワーク側のｅＮＢにおいて終端される、媒体アクセス制御（ＭＡＣ：media access control）サブレイヤ５１０と、無線リンク制御（ＲＬＣ：radio link control）サブレイヤ５１２と、パケットデータコンバージェンスプロトコル（ＰＤＣＰ：packet data convergence protocol）５１４サブレイヤとを含む。図示されていないが、ＵＥは、Ｌ２レイヤ５０８の上に、ネットワーク側のＰＤＮゲートウェイ１１８において終端されるネットワークレイヤ（たとえば、ＩＰレイヤ）と、接続の他端（たとえば、ファーエンドＵＥ、サーバなど）において終端されるアプリケーションレイヤとを含むいくつかの上位レイヤを有し得る。
【００２５】
ＰＤＣＰサブレイヤ５１４は、異なる無線ベアラと論理チャネルとの間で多重化を行う。ＰＤＣＰサブレイヤ５１４はまた、無線送信オーバーヘッドを低減するために上位レイヤデータパケットのヘッダ圧縮と、データパケットを暗号化することによるセキュリティと、ＵＥに対するｅＮＢ間のハンドオーバサポートとを与える。ＲＬＣサブレイヤ５１２は、上位レイヤデータパケットのセグメンテーションおよび再統合と、ロストデータパケットの再送信と、ハイブリッド自動再送要求（ＨＡＲＱ：hybrid automatic repeat request）による、順序がバラバラの受信を補償するデータパケットの再配列とを行う。ＭＡＣサブレイヤ５１０は、論理チャネルとトランスポートチャネルとの間の多重化を行う。ＭＡＣサブレイヤ５１０はまた、ＵＥの間で１つのセル内の様々な無線リソース（たとえば、リソースブロック）を割り振ることを担う。ＭＡＣサブレイヤ５１０はまたＨＡＲＱ動作を担う。
【００２６】
制御プレーンでは、ＵＥおよびｅＮＢのための無線プロトコルアーキテクチャは、制御プレーンのためのヘッダ圧縮機能がないことを除いて、物理レイヤ５０６およびＬ２レイヤ５０８について実質的に同じである。制御プレーンはまた、レイヤ３（Ｌ３レイヤ）中に無線リソース制御（ＲＲＣ：radio resource control）サブレイヤ５１６を含む。ＲＲＣサブレイヤ５１６は、無線リソース（すなわち、無線ベアラ）を取得することと、ｅＮＢとＵＥとの間のＲＲＣシグナリングを使用して下位レイヤを構成することとを担う。
【００２７】
図６は、アクセスネットワーク中でＵＥ６５０と通信しているｅＮＢ６１０のブロック図である。ＤＬでは、コアネットワークからの上位レイヤパケットが、コントローラ／プロセッサ６７５に与えられる。コントローラ／プロセッサ６７５は、Ｌ２レイヤの機能を実装する。ＤＬでは、コントローラ／プロセッサ６７５は、様々な優先度メトリックに基づいてヘッダ圧縮と、暗号化と、パケットのセグメント化および並べ替えと、論理チャネルとトランスポートチャネルとの間の多重化と、ＵＥ６５０への無線リソース割振りとを行う。コントローラ／プロセッサ６７５はまた、ＨＡＲＱ動作と、ロストパケットの再送信と、ＵＥ６５０へのシグナリングとを担う。
【００２８】
送信（ＴＸ）プロセッサ６１６は、Ｌ１レイヤ（すなわち、物理レイヤ）のための様々な信号処理機能を実装する。信号処理機能は、ＵＥ６５０における前方誤り訂正（ＦＥＣ：forward error correction）と、様々な変調方式（たとえば、２位相偏移変調（ＢＰＳＫ：binary phase-shift keying）、４位相偏移変調（ＱＰＳＫ：quadrature phase-shift keying）、Ｍ位相偏移変調（Ｍ−ＰＳＫ：M-phase-shift keying）、多値直交振幅変調（Ｍ−ＱＡＭ：M-quadrature amplitude modulation））に基づいた信号コンスタレーションへのマッピングとを可能にするために、コーディングとインターリービングとを含む。次いで、符号化され変調されたシンボルは並列ストリームに分割される。各ストリームは、次いでＯＦＤＭサブキャリアにマッピングされ、時間領域および／または周波数領域中で基準信号（たとえば、パイロット）と多重化され、次いで逆高速フーリエ変換（ＩＦＦＴ：Inverse Fast Fourier Transform）を使用して互いに合成されて、時間領域ＯＦＤＭシンボルストリームを搬送する物理チャネルを生成する。ＯＦＤＭストリームは、複数の空間ストリームを生成するために空間的にプリコーディングされる。チャネル推定器６７４からのチャネル推定値は、符号化および変調方式を判断するために、ならびに空間処理のために使用され得る。チャネル推定値は、ＵＥ６５０によって送信される基準信号および／またはチャネル状態フィードバックから導出され得る。次いで、各空間ストリームは、別個の送信機６１８ＴＸを介して異なるアンテナ６２０に与えられる。各送信機６１８ＴＸは、送信のためにそれぞれの空間ストリームでＲＦキャリアを変調する。
【００２９】
ＵＥ６５０において、各受信機６５４ＲＸは、それのそれぞれのアンテナ６５２を通して信号を受信する。各受信機６５４ＲＸは、ＲＦキャリア上に変調された情報を復元し、受信機（ＲＸ）プロセッサ６５６に情報を与える。ＲＸプロセッサ６５６は、Ｌ１レイヤの様々な信号処理機能を実装する。ＲＸプロセッサ６５６は、ＵＥ６５０に宛てられた任意の空間ストリームを復元するために、情報に対して空間処理を実行する。複数の空間ストリームがＵＥ６５０に宛てられた場合、それらはＲＸプロセッサ６５６によって単一のＯＦＤＭシンボルストリームに合成され得る。ＲＸプロセッサ６５６は、次いで高速フーリエ変換（ＦＦＴ：Fast Fourier Transform）を使用してＯＦＤＭシンボルストリームを時間領域から周波数領域に変換する。周波数領域信号は、ＯＦＤＭ信号のサブキャリアごとに別々のＯＦＤＭシンボルストリームを備える。各サブキャリア上のシンボルと基準信号とは、ｅＮＢ６１０によって送信される、可能性が最も高い信号のコンスタレーションポイントを判断することによって復元され、復調される。これらの軟判定は、チャネル推定器６５８によって計算されるチャネル推定値に基づき得る。軟判定は、次いで、物理チャネル上でｅＮＢ６１０によって最初に送信されたデータおよび制御信号を復元するために復号され、デインターリーブされる。データおよび制御信号は、次いでコントローラ／プロセッサ６５９に与えられる。
【００３０】
コントローラ／プロセッサ６５９はＬ２レイヤを実装する。コントローラ／プロセッサは、プログラムコードとデータとを記憶するメモリ６６０に関連し得る。メモリ６６０はコンピュータ可読媒体と呼ばれることがある。ＵＬでは、制御／プロセッサ６５９は、コアネットワークからの上位レイヤパケットを復元するために、トランスポートチャネルと論理チャネルとの間での多重分離と、パケット再統合と、復号と、ヘッダ復元と、制御信号処理とを行う。上位レイヤパケットは、次いで、Ｌ２レイヤの上のすべてのプロトコルレイヤを表すデータシンク６６２に与えられる。また、様々な制御信号がＬ３処理のためにデータシンク６６２に与えられ得る。コントローラ／プロセッサ６５９はまた、ＨＡＲＱ動作をサポートするために肯定応答（ＡＣＫ）および／または否定応答（ＮＡＣＫ）プロトコルを使用した誤り検出を担う。
【００３１】
ＵＬでは、データソース６６７は、コントローラ／プロセッサ６５９に上位レイヤパケットを与えるために使用される。データソース６６７は、Ｌ２レイヤの上のすべてプロトコルレイヤを表す。ｅＮＢ６１０によるＤＬ送信に関して説明した機能と同様に、コントローラ／プロセッサ６５９は、ヘッダ圧縮と、暗号化と、パケットのセグメント化および並べ替えと、ｅＮＢ６１０による無線リソース割振りに基づいた論理チャネルとトランスポートチャネルとの間の多重化とを行うことによって、ユーザプレーンおよび制御プレーンのためのＬ２レイヤを実装する。コントローラ／プロセッサ６５９はまた、ＨＡＲＱ動作、ロストパケットの再送信、およびｅＮＢ６１０へのシグナリングを担う。
【００３２】
ｅＮＢ６１０によって送信される基準信号またはフィードバックからの、チャネル推定器６５８によって導出されるチャネル推定値は、適切な符号化および変調方式を選択することと、空間処理を可能にすることとを行うために、ＴＸプロセッサ６６８によって使用され得る。ＴＸプロセッサ６６８によって生成される空間ストリームは、別個の送信機６５４ＴＸを介して異なるアンテナ６５２に与えられる。各送信機６５４ＴＸは、送信のためにそれぞれの空間ストリームでＲＦキャリアを変調する。
【００３３】
ＵＬ送信は、ＵＥ６５０における受信機機能に関して説明した方法と同様の方法でｅＮＢ６１０において処理される。各受信機６１８ＲＸは、そのそれぞれのアンテナ６２０を通して信号を受信する。各受信機６１８ＲＸは、ＲＦキャリア上で変調された情報を復元し、ＲＸプロセッサ６７０に情報を与える。ＲＸプロセッサ６７０は、Ｌ１レイヤを実装し得る。
【００３４】
コントローラ／プロセッサ６７５は、Ｌ２レイヤを実装する。コントローラ／プロセッサ６７５は、プログラムコードとデータとを記憶するメモリ６７６に関連し得る。メモリ６７６は、コンピュータ可読媒体と呼ばれることがある。ＵＬでは、制御／プロセッサ６７５は、ＵＥ６５０からの上位レイヤパケットを復元するために、トランスポートチャネルと論理チャネルとの間での多重分離と、パケット再統合と、復号と、ヘッダ復元と、制御信号処理とを行う。コントローラ／プロセッサ６７５からの上位レイヤパケットはコアネットワークに与えられ得る。コントローラ／プロセッサ６７５はまた、ＨＡＲＱ動作をサポートするためにＡＣＫおよび／またはＮＡＣＫプロトコルを使用した誤り検出を担う。
【００３５】
図７は、マルチメディアブロードキャストオーバー単一周波数ネットワーク（ＭＢＳＦＮ）中の発展型マルチキャストブロードキャストマルチメディアサービス（ｅＭＢＭＳ）を示す図７５０である。セル７５２’中のｅＮＢ７５２は、第１のＭＢＳＦＮエリアを形成し得、セル７５４’中のｅＮＢ７５４は、第２のＭＢＳＦＮエリアを形成し得る。ｅＮＢ７５２、７５４は、他のＭＢＳＦＮエリア、たとえば、最高合計８つのＭＢＳＦＮエリアに関連し得る。ＭＢＳＦＮエリア内のセルが予約済みセルに指定され得る。予約済みセルは、マルチキャスト／ブロードキャストコンテンツを与えないが、セル７５２’、７５４’に時間同期させられ、ＭＢＳＦＮエリアへの干渉を制限するために、ＭＢＳＦＮリソース上で電力を制限する。ＭＢＳＦＮエリア中の各ｅＮＢは、同じｅＭＢＭＳ制御情報およびデータを同期的に送信する。各エリアは、ブロードキャストサービス、マルチキャストサービス、およびユニキャストサービスをサポートし得る。ユニキャストサービスは、特定のユーザを対象とするサービス、たとえば、音声通話である。マルチキャストサービスは、ユーザのグループによって受信され得るサービス、たとえば、サブスクリプションビデオサービスである。ブロードキャストサービスは、すべてのユーザによって受信され得るサービス、たとえば、ニュースブロードキャストである。図７を参照すると、第１のＭＢＳＦＮエリアは、特定のニュースブロードキャストをＵＥ７７０に与えることなどによって、第１のｅＭＢＭＳブロードキャストサービスをサポートし得る。第２のＭＢＳＦＮエリアは、異なるニュースブロードキャストをＵＥ７６０に与えることなどによって、第２のｅＭＢＭＳブロードキャストサービスをサポートし得る。各ＭＢＳＦＮエリアは、複数の物理マルチキャストチャネル（ＰＭＣＨ：physical multicast channel）（たとえば、１５個のＰＭＣＨ）をサポートする。各ＰＭＣＨはマルチキャストチャネル（ＭＣＨ：multicast channel）に対応する。各ＭＣＨは、複数（たとえば、２９個）のマルチキャスト論理チャネルを多重化することができる。各ＭＢＳＦＮエリアは、１つのマルチキャスト制御チャネル（ＭＣＣＨ：multicast control channel）を有し得る。したがって、１つのＭＣＨは、１つのＭＣＣＨと複数のマルチキャストトラフィックチャネル（ＭＴＣＨ：multicast traffic channel）とを多重化し得、残りのＭＣＨは複数のＭＴＣＨを多重化し得る。
【００３６】
図８は、１つまたは２つの帯域上の第１および第２の周波数を示す図８００である。一周波数でＬＴＥセルにキャンプオンされたＵＥは、システム情報ブロック１３（ＳＩＢ１３）を最初に獲得することによって、その周波数でｅＭＢＭＳサービスの利用可能性を発見することができる。ＳＩＢ１３は、セルによってサポートされた各ＭＢＳＦＮエリアに関する通知情報とＭＢＳＦＮエリア識別子とを示す。加えて、ＳＩＢ１３は、ＭＣＣＨにおいてＭＢＳＦＮエリア構成メッセージを獲得するために必要な情報を含む。ＭＢＳＦＮエリア構成メッセージは、一時的モバイルグループ識別情報（ＴＭＧＩ）と、各ＭＴＣＨの任意のセッションＩＤとを含む様々な情報を含む。ＵＥが第１の周波数および第２の周波数などの複数の周波数においてｅＭＢＭＳサービスを発見することを可能にするための方法が以下に与えられる。第１の周波数は、第１のセル／ｅＮＢに関連する可能性があり、第２の周波数は、第１のセル／ｅＮＢとは異なる第２のセル／ｅＮＢに関連する可能性がある。第１および第２の周波数は、単一の帯域／周波数チャネル８０４上にある可能性がある。そうでない場合、第１および第２の周波数は、それぞれ、帯域８０６、８０８などの異なる帯域／周波数チャネル上にある可能性がある。これらの方法は、ＲＲＣ＿ＩＤＬＥ状態である（ユニキャストがアイドル状態である）間にｅＭＢＭＳサービスを受信していないＵＥと、ＲＲＣ＿ＩＤＬＥ状態である（ユニキャストがアイドル状態である）間にｅＭＢＭＳサービスを受信しているＵＥとに適用する。
【００３７】
ＵＥが、第１の周波数においてＲＲＣ＿ＩＤＬＥ状態であり、第１の周波数におけるｅＭＢＭＳサービスを受信していないとき、ＵＥは、第２の周波数におけるｅＭＢＭＳサービスを発見するために第２の周波数に切り替わることができるが、第１の周波数におけるユニキャスト通信のためにページングメッセージを周期的にモニタするべきである。ＵＥが、（ＲＲＣ＿ＩＤＬＥ状態である間）第１の周波数におけるｅＭＢＭＳサービスを受信しているとき、ＵＥは、第２の周波数においてｅＭＢＭＳサービスを発見するために第２の周波数に切り替わることができるが、第１の周波数におけるｅＭＢＭＳサービスのために第１の周波数においてＳＩＢ１３とすべてのＭＣＣＨとをモニタすることができるべきである。
【００３８】
図９は、ＬＴＥにおいてｅＭＢＭＳサービスを発見する例示的な方法を示すための図９００である。ページングオケージョン９０２、９２６、９４６は、ページングサイクル／区間によって分離される。ＵＥがページングメッセージ９０２をモニタした後の第１のページングサイクル９５０（および第２の周波数におけるｅＭＢＭＳサービスの開始時刻前の時間周期Ｔ）において、ＵＥは、第１のセルの第１の周波数においてＳＩＢ１３  ９０６とすべてのＭＣＣＨ９０８、９１０とを受信することを控え、第２のセルの第２の周波数に切り替わり（９０４）、第１の周波数に戻る最も遅い時刻（または時間周期）を設定する。第１の周波数に戻る最も遅い時刻は、ＵＥがページングオケージョン９２６をモニタすることができるような次のページングオケージョン９２６の前の時刻、または第１の周波数において次のマルチキャスト／ブロードキャスト情報９２０、９２２、９２４が受信され得る前の時刻である。ＵＥがｅＭＢＭＳサービスを受信していないとき、ＵＥは、第１の周波数における次のページングオケージョン９２６に基づいて第１の周波数に戻る最も遅い時刻を設定することができる。ＵＥがｅＭＢＭＳサービスを受信しているとき、ＵＥは、第１の周波数においてマルチキャスト／ブロードキャスト情報９２０、９２２、９２４が受信され得る次の時刻に基づいて第１の周波数に戻る最も遅い時刻を設定することができる。したがって、ＵＥがｅＭＢＭＳサービスを受信しているとき、ＵＥは、第１の周波数においてＳＩＢ１３とすべてのＭＣＣＨとを受信するために第１の周波数により早く戻る必要があり得る。
【００３９】
第２の周波数で一度、ＵＥは、第２の周波数においてＳＩＢ１３  ９１２を獲得する。ＵＥは、ＳＩＢ１３  ９１２中の情報に基づいて、すべてのＭＣＣＨ９１４、９１６を獲得する。ＵＥは、ＴＭＧＩおよび任意のセッションＩＤが所望のセッションに関連するかどうかをチェックする。所望のセッションは、ユーザが受信することに関心があるセッションである。ＴＭＧＩおよび任意のセッションＩＤが所望のセッションに関連する場合、ＵＥは、第２の周波数にとどまり、第２のセルにおいてトラッキングエリアコードが異なる場合は第２の周波数においてトラッキングエリア更新プロシージャを実行し、第２の周波数においてＭＴＣＨを受信する準備をする。ＴＭＧＩおよび任意のセッションＩＤが所望のセッションに関連がない場合、ＵＥは、第１の周波数に切り替え戻す（９１８）。次いで、ＵＥは、第１の周波数においてｅＭＢＭＳサービスを発見するために第１の周波数においてＳＩＢ１３  ９２０とすべてのＭＣＣＨ９２２、９２４とを受信し得る。以後、ＵＥは、ページングメッセージ９２６をモニタし得る。
【００４０】
第２のページングサイクル９５２において、ＵＥは、第２の周波数においてＳＩＢ１３  ９３６を獲得するために、ＳＩＢ１３  ９３０とすべてのＭＣＣＨ９３２、９３４とを受信することを控え、第２のセルの第２の周波数に切り替わる（９２８）。ＵＥは、ＳＩＢ１３  ９３６中の情報に基づいて、すべてのＭＣＣＨを獲得するように試みる。しかしながら、ＵＥは、すべてのＭＣＣＨを獲得することができない（たとえば、ＭＣＣＨが一度も受信されないか、またはＵＥがＭＣＣＨを復号することができない）。ＵＥは、第２の周波数においてすべてのＭＣＣＨを獲得するために、切り替え戻し時刻９４４まで待つ可能性があるが、切り替え戻し時刻９４４は、ページ９４６をモニタするために第１の周波数に切り替え戻す最も遅い時刻である。そうでない場合、ＵＥは、切り替え戻し時刻９３７までＭＣＣＨのみを待つ可能性があるが、切り替え戻し時刻９３７は、第１の周波数において次のマルチキャスト／ブロードキャスト情報９３８、９４０、９４２を受信するために第１の周波数に切り替え戻す最も遅い時刻である。ＵＥは、第２の周波数においてすべてのＭＣＣＨを待つ間、第１の周波数においてＳＩＢ１３  ９３８とすべてのＭＣＣＨ９４０、９４２とを受信することを控えることを決定する。ＵＥは、ページングメッセージに関する次のページングオケージョン９４６をモニタするために、第２の周波数においてすべてのＭＣＣＨを受信せず、第１の周波数に切り替え戻す（９４４）。後続のページングサイクルにおいて、ＵＥは、ページングメッセージに関する第１の周波数においてページングオケージョンを依然としてモニタしながら周波数の各々においてＳＩＢ１３およびすべてのＭＣＣＨをモニタするために第１の周波数と第２の周波数との間を往復して切り替わり続ける可能性がある。
【００４１】
図９に関して説明した方法を可能にするために、ページングサイクルは、最大のデフォルトページングサイクル（たとえば、２．５６秒）、またはＵＥが第１の周波数と第２の周波数の両方においてｅＭＢＭＳサービスを発見し、ページングメッセージのページングオケージョンをモニタするための時間を可能にする十分大きいページングサイクルに設定され得る。加えて、第１および第２のセルは、同じトラッキングエリアコードで構成され得る。同じトラッキングエリアコードで構成されることにより、ＵＥは、トラッキングエリア更新プロシージャを実行することを避けることができるので、周波数を切り替えた後に多少の時間を節約することが可能になる。加えて、ＳＩＢ１３をブロードキャストする時間周期は、ＵＥがＳＩＢ１３を迅速に獲得するのに十分な時間を有することができるように短くなり得る。さらに、ＭＣＣＨ繰返し周期９５４は、デフォルトページングサイクル当りのＭＣＣＨの複数の繰返しを可能にするために短くなり得る。たとえば、図９に示すように、ＵＥが第２の周波数において第１のＭＣＣＨ繰返し周期をモニタし、第１の周波数において第２のＭＣＣＨ繰返し周期をモニタすることを許容する、ページングサイクル当りの２つのＭＣＣＨ繰返し周期が存在する。さらに、無線フレーム境界およびシステムフレーム番号（ＳＦＮ）が同期するように同期され得る。
【００４２】
図１０は、ＬＴＥにおいてｅＭＢＭＳサービスを発見する別の例示的な方法を示すための図１０００である。ＵＥがページングメッセージ１００２をモニタした後の第１のページングサイクル１０５０（および第２の周波数におけるｅＭＢＭＳサービスの開始時刻前の時間周期Ｔ）において、ＵＥは、第１のセルの第１の周波数においてＳＩＢ１３  １００６とすべてのＭＣＣＨ１００８、１０１０とを受信することを控え、第２のセルの第２の周波数に切り替わる（１００４）。  第２の周波数で一度、ＵＥは、第２の周波数においてＳＩＢ１３  １０１２を獲得する。ＵＥは、ＳＩＢ１３  １０１２中の情報に基づいて、すべてのＭＣＣＨ１０１４、１０１６を獲得する。ＵＥは、ＴＭＧＩおよび任意のセッションＩＤが所望のセッションに関連するかどうかをチェックする。ＴＭＧＩおよび任意のセッションＩＤが所望のセッションに関連する場合、ＵＥは、第２の周波数にとどまり、第２のセルにおいてトラッキングエリアコードが異なる場合は第２の周波数においてトラッキングエリア更新プロシージャを実行し、第２の周波数においてＭＴＣＨを受信する準備をする。ＴＭＧＩおよび任意のセッションＩＤが所望のセッションに関連がない場合、ＵＥは、第１の周波数に切り替え戻す（１０１８）。次いで、ＵＥは、第１の周波数においてｅＭＢＭＳサービスを発見するために第１の周波数においてＳＩＢ１３  １０２０とすべてのＭＣＣＨ１０２２、１０２４とを受信し得る。以後、ＵＥは、ページングメッセージ１０２６をモニタし得る。
【００４３】
第２のページングサイクル１０５２において、ＵＥは、第２の周波数においてＳＩＢ１３  １０３６を獲得するために、ＳＩＢ１３  １０３０とすべてのＭＣＣＨ１０３２、１０３４とを受信することを控え、第２のセルの第２の周波数に切り替わる（１０２８）。ＵＥは、第２の周波数におけるＳＩＢ１３  １０３６中の情報に基づいて、すべてのＭＣＣＨを獲得するように試みる。しかしながら、図１０に示すように、ＵＥは、すべてのＭＣＣＨを獲得することができない（たとえば、ＭＣＣＨが一度も受信されないか、またはＵＥがＭＣＣＨを復号することができない）。ＵＥは、第２の周波数においてすべてのＭＣＣＨを待つ間、第１の周波数においてＳＩＢ１３  １０３８とすべてのＭＣＣＨ１０４０、１０４２とを受信することを控える。ＵＥは、ページングメッセージに関する次のページングオケージョン１０４６をモニタするために、第１の周波数に切り替え戻すのに必要な時間周期までは第２の周波数においてすべてのＭＣＣＨを受信しない。しかしながら、第２のセルが同じトラッキングエリアコードで構成されているので、ＵＥは、第２の周波数にある間に第１の周波数においてユニキャスト通信のページングメッセージをモニタすることができ得る。したがって、ＵＥは、ページングメッセージのページングオケージョン１０６８をモニタするために第２の周波数にとどまる。以後、ＵＥは、第２の周波数においてＳＩＢ１３  １０７０と、すべてのＭＣＣＨ１０７２、１０７４とを受信する。ＵＥは、ＴＭＧＩおよび任意のセッションＩＤが所望のセッションに関連するかどうかをチェックする。ＴＭＧＩおよび任意のセッションＩＤが所望のセッションに関連する場合、ＵＥは、第２の周波数にとどまり、第２の周波数においてＭＴＣＨを受信する準備をする。ＴＭＧＩおよび任意のセッションＩＤが所望のセッションに関連がない場合、ＵＥは、第１の周波数に切り替え戻す（１０７８）。
【００４４】
上記で説明したように、ＵＥが第１の周波数においてｅＭＢＭＳサービスを受信している場合、ＵＥは、第１の周波数においてＳＩＢ１３とすべてのＭＣＣＨとをモニタする必要がある。ある時点において、現在時刻がｅＭＢＭＳサービスの開始時刻を過ぎ、すべてのＭＣＣＨがＴＭＧＩと所望のセッションに関連する任意のセッションＩＤとを含まない場合、ＵＥは、新規のｅＭＢＭＳサービスが第２の周波数にあるべきであることをユーザに示すことができる。ＵＥがｅＭＢＭＳサービスをもはや受信せず、ＲＲＣ＿ＩＤＬＥ状態にある場合、ＵＥは、第２の周波数においてＳＩＢ１３とすべてのＭＣＣＨを獲得するために第２の周波数に切り替わる可能性があり、そのとき、ＴＭＧＩおよび任意のセッションＩＤは、所望のセッション、ＭＴＣＨに関連する。
【００４５】
説明のために、図９、図１０は、ＭＣＣＨ繰返し周期当り２つのＭＣＣＨ（ＭＢＳＦＮエリア構成メッセージ）を有するように示されているが、様々な数のＭＣＣＨが存在する可能性がある。
【００４６】
図１１は、ワイヤレス通信の第１の方法のフローチャート１１００である。本方法は、ＵＥによって実行され得る。ステップ１１０２では、ＵＥは、第１の周波数において現在のページングサイクルの間にページをモニタする。ステップ１１０４では、ＵＥは、第２の周波数においてマルチキャスト／ブロードキャスト情報を受信するために現在のページングサイクルの後に第２の周波数に切り替わる。ステップ１１０６では、ＵＥは、既定の時刻の前に第２の周波数においてマルチキャスト／ブロードキャスト情報を受信するように試みる。たとえば、図９を参照すると、ＵＥは、ページングサイクル９５０よりも前のページングサイクルの間にページ９０２をモニタし、ページングサイクル９５０の間に第２の周波数に切り替わり（９０４）、第１の周波数においてページ９２６をモニタするか、または第１の周波数においてマルチキャスト／ブロードキャスト情報９２０、９２２、９２４を受信するかのいずれかのために、第１の周波数に切り替え戻す既定の時刻の前にマルチキャスト／ブロードキャスト情報９１２、９１４、９１６を受信するように試みる。
【００４７】
既定の時刻は、第１の周波数において後続のページングサイクルでページの少なくとも１つが受信され得るか、または第１の周波数においてマルチキャスト／ブロードキャスト情報が受信され得るかの最先の時刻であり得る。たとえば、ＵＥが第１の周波数においてｅＭＢＭＳサービスを受信しているとき、ＵＥは、第１の周波数においてマルチキャスト／ブロードキャスト情報が受信され得る最先の時刻に既定の時刻を設定し得る。しかしながら、ＵＥが第１の周波数においてｅＭＢＭＳサービスを受信していない場合、ＵＥは、第１の周波数において後続のページングサイクルでページが受信され得る最先の時刻に既定の時刻を設定し得る。当然、ＵＥが第１の周波数においてｅＭＢＭＳサービスを受信していないとき、ＵＥは、第１の周波数においてｅＭＢＭＳの発見機会を逃さないように第１の周波数においてマルチキャスト／ブロードキャスト情報が受信され得る最先の時刻に既定の時刻を設定し得る。
【００４８】
マルチキャスト／ブロードキャスト情報は、システム情報および制御情報を含み得る。システム情報は、ＳＩＢである可能性があり、かつ制御情報は、ｅＭＢＭＳサービスに関連するマルチキャスト／ブロードキャストエリア構成メッセージ（たとえば、ＭＢＳＦＮエリア構成）を含み得る。マルチキャスト／ブロードキャストエリア構成メッセージは、ＭＣＣＨ上で受信され得る。ＭＣＣＨの繰返し周期は、後続のページングサイクルの開始と、現在のページングサイクルの開始との間の時間差に等しいページングサイクルの半分未満である（したがって、各ページングサイクルにつき２つ以上のＭＣＣＨを可能にする）可能性がある。ページングサイクルは、最大のデフォルトページングサイクル（たとえば、約２．５６秒）に設定され得る。無線フレーム境界およびシステムフレーム番号（ＳＦＮ）は、第１の周波数および第２の周波数において同期する可能性がある。
【００４９】
図１２は、ワイヤレス通信の第２の方法のフローチャート１２００である。本方法は、ＵＥによって実行され得る。ステップ１２０２では、ＵＥは、第１の周波数において現在のページングサイクルの間にページをモニタする。ステップ１２０４では、ＵＥは、第２の周波数においてマルチキャスト／ブロードキャスト情報を受信するために現在のページングサイクルの後に第２の周波数に切り替わる。ステップ１２０６では、ＵＥは、ＵＥが第１の周波数に切り替え戻す既定の時刻（または切り替え戻す前の時間周期）を設定する。ステップ１２０８において、ＵＥが現在ｅＭＢＭＳサービスを受信している場合、ステップ１２１０において、ＵＥは、第１の周波数においてｅＭＢＭＳシステム情報と制御情報とを受信するための次の利用可能な時刻の前の時刻に既定の時刻を設定し得る。ステップ１２０８において、ＵＥが現在ｅＭＢＭＳサービスを受信していない場合、ステップ１２１２において、ＵＥは、第１の周波数においてページングサイクルをモニタするための次の利用可能な時刻の前の時刻に既定の時刻を設定し得る。ステップ１２１０／１２１２の後、ステップ１２１４において、ＵＥは、既定の時刻の前に第２の周波数においてマルチキャスト／ブロードキャスト情報を受信するように試みる。たとえば、図９を参照すると、ＵＥは、ページングサイクル９５０よりも前のページングサイクルの間にページ９０２をモニタし、ページングサイクル９５０の間に第２の周波数に切り替わり（９０４）、第１の周波数に切り替え戻す既定の時刻を設定する。ＵＥが第１の周波数においてｅＭＢＭＳサービスを受信していない場合、ＵＥは、第１の周波数においてページ９２６をモニタするために既定の時刻を設定し得る。ＵＥが第１の周波数においてｅＭＢＭＳサービスを受信している場合、ＵＥは、第１の周波数においてマルチキャスト／ブロードキャスト情報９２０、９２２、９２４を受信するために既定の時刻を設定し得る。以後、ＵＥは、第１の周波数においてページ９２６をモニタするか、または第１の周波数においてマルチキャスト／ブロードキャスト情報９２０、９２２、９２４を受信するかのいずれかのために、第１の周波数に切り替え戻す既定の時刻の前にマルチキャスト／ブロードキャスト情報９１２、９１４、９１６を受信するように試みる。
【００５０】
図１３は、ワイヤレス通信の第３の方法のフローチャート１３００である。本方法は、ＵＥによって実行され得る。ステップ１３０２では、ＵＥは、第１の周波数においてマルチキャスト／ブロードキャストサービスを受信する。ステップ１３０４では、ＵＥは、第１の周波数において現在のページングサイクルの間にページをモニタする。ステップ１３０６では、ＵＥは、第２の周波数に切り替わるために第１の周波数においてマルチキャスト／ブロードキャストサービスのマルチキャスト／ブロードキャストデータを受信することを控え得る。ステップ１３０８では、ＵＥは、第２の周波数においてマルチキャスト／ブロードキャスト情報を受信するために現在のページングサイクルの後に第２の周波数に切り替わり得る。ステップ１３１０では、ＵＥは、既定の時刻の前に第２の周波数においてマルチキャスト／ブロードキャスト情報を受信するように試み得る。ステップ１３１２では、ＵＥは、第１の周波数においてマルチキャスト／ブロードキャストサービスのマルチキャスト／ブロードキャスト情報が受信され得るたびに第１の周波数に切り替え戻し得る。たとえば、図９のＵＥが第１の周波数においてｅＭＢＭＳサービスを受信しているものと仮定されたい。図９を参照すると、ＵＥは、ページングサイクル９５０の間にページ９２６をモニタし、第２の周波数に切り替わる（９２８）ために第１の周波数においてマルチキャスト／ブロードキャストデータを受信することを控え、マルチキャスト／ブロードキャスト情報を受信するためにページングサイクル９５２の間に第２の周波数に切り替わり（９２８）、ＵＥがマルチキャスト／ブロードキャスト情報９３８、９４０、９４２を受信するために第１の周波数に切り替え戻さなければならない（９３７）既定の時刻の前にマルチキャスト／ブロードキャスト情報を受信する（ＳＩＢ１３  ９３６のみが受信されるか、または正常に復号される）よう試み、マルチキャスト／ブロードキャスト情報９３８、９４０、９４２を受信するために第１の周波数に切り替え戻す（９３７）。
【００５１】
図１４は、ワイヤレス通信の第４の方法のフローチャート１４００である。本方法は、ＵＥによって実行され得る。ステップ１４０２では、ＵＥは、第１の周波数において現在のページングサイクルの間にページをモニタする。ステップ１４０４では、ＵＥは、第２の周波数においてマルチキャスト／ブロードキャスト情報を受信するために現在のページングサイクルの後に第２の周波数に切り替わり得る。ステップ１４０６では、ＵＥは、既定の時刻の前に第２の周波数においてマルチキャスト／ブロードキャスト情報を受信するように試み得る。マルチキャスト／ブロードキャスト情報は、マルチキャスト／ブロードキャストサービスに関連するシステム情報（たとえば、ＳＩＢ１３）と、制御情報（たとえば、ＭＣＣＨ上のＭＢＳＦＮエリア構成メッセージ）とを含み得る。ステップ１４０８では、ＵＥは、第２の周波数においてシステム情報を受信し得る。ステップ１４１０では、ＵＥは、システム情報に基づいて第２の周波数において制御情報を受信し得る。制御情報は、マルチキャスト／ブロードキャストサービスのセッションに関連する識別子を含み得る。ステップ１４１２では、ＵＥは、識別子が所望のセッションに関連するかどうかを判定し得る。識別子が所望のセッションに関連がないとき、ステップ１４１４において、ＵＥは、後続のページングサイクルでページをモニタし、既定の時刻の前に第１の周波数においてマルチキャスト／ブロードキャスト情報を受信するために、第１の周波数に切り替え戻し得る。識別子が所望のセッションに関連するとき、ステップ１４１６において、ＵＥは、マルチキャスト／ブロードキャストサービスの所望のセッションを受信するために第２の周波数にとどまり得る。
【００５２】
たとえば、図９を参照すると、ＵＥは、第１の周波数においてページングサイクル９５０よりも前のページングサイクルの間にページ９０２をモニタする。ＵＥは、第２の周波数においてマルチキャスト／ブロードキャスト情報９１２、９１４、９１６を受信するためにページングサイクル９５０の間に第２の周波数に切り替わる（９０４）。ＵＥは、既定の時刻の前に第２の周波数においてマルチキャスト／ブロードキャスト情報９１２、９１４、９１６を受信するように試みる。ＵＥは、第２の周波数においてシステム情報ＳＩＢ１３  ９１２を受信する。ＵＥは、システム情報ＳＩＢ１３  ９１２に基づいて第２の周波数において制御情報ＭＣＣＨ９１４、９１６を受信する。ＵＥは、ＭＣＣＨ９１４、９１６から復元された識別子（たとえば、ＴＭＧＩおよび任意のセッションＩＤ）が所望のセッションに関連するかどうかをチェックする。識別子が所望のセッションに関連がないとき、ＵＥは、ページングサイクル９５０においてページ９２６をモニタし、既定の時刻の前に第１の周波数においてマルチキャスト／ブロードキャスト情報９２０、９２２、９２４を受信するために、第１の周波数に切り替え戻す（９１８）。識別子が所望のセッションに関連する場合、ＵＥは、マルチキャスト／ブロードキャストサービスの所望のセッションを受信するために第２の周波数にとどまり得る。
【００５３】
図１５は、ワイヤレス通信の第５の方法のフローチャート１５００である。本方法は、ＵＥによって実行され得る。ステップ１５０２では、ＵＥは、第１の周波数において現在のページングサイクルの間にページをモニタする。ステップ１５０４では、ＵＥは、第２の周波数においてマルチキャスト／ブロードキャスト情報を受信するために現在のページングサイクルの後に第２の周波数に切り替わり得る。ステップ１５０６では、ＵＥは、既定の時刻の前に第２の周波数においてマルチキャスト／ブロードキャスト情報を受信するように試み得る。マルチキャスト／ブロードキャスト情報は、マルチキャスト／ブロードキャストサービスに関連するシステム情報と、制御情報とを含み得る。ステップ１５０８では、ＵＥは、既定の時刻の前にすべてのマルチキャスト／ブロードキャスト情報が受信されたかどうかを判定し得る。ステップ１５０８において、既定の時刻の前にすべてのマルチキャスト／ブロードキャスト情報が受信されたとは限らないとＵＥが判定する場合、ステップ１５１２において、ＵＥは、第２の周波数が第１の周波数と同じトラッキングエリアコードを有するかどうかを判定し得る。ステップ１５１２において、第２の周波数が第１の周波数と同じトラッキングエリアコードを有しないとＵＥが判定する場合、ステップ１５１４において、ＵＥは、後続のページングサイクルにおいてページをモニタし、第２の周波数においてシステム情報または制御情報のうちの少なくとも１つを受信することなく第１の周波数においてマルチキャスト／ブロードキャスト情報を受信するために、既定の時刻に第１の周波数に切り替え戻し得る。
【００５４】
たとえば、図９を参照すると、ＵＥは、第１の周波数において現在のページングサイクル９５０の間にページ９２６をモニタする。ＵＥは、第２の周波数においてマルチキャスト／ブロードキャスト情報を受信するために現在のページングサイクル９５０の後に第２の周波数に切り替わる。ＵＥは、既定の時刻の前に第２の周波数においてマルチキャスト／ブロードキャスト情報を受信するように試みる。しかしながら、ＵＥは、第２の周波数においてＳＩＢ１３  ９３６を受信するにすぎない。ＵＥは、後続のページングサイクル９５２においてページ９４６をモニタし、および／または第２の周波数においてシステム情報または制御情報のうちの少なくとも１つを受信することなく第１の周波数においてマルチキャスト／ブロードキャスト情報９３８、９４０、９４２を受信するために、既定の時刻に第１の周波数に切り替え戻す（９３７または９４４）。
【００５５】
ステップ１５０８において、既定の時刻の前にすべてのマルチキャスト／ブロードキャスト情報が受信されたとＵＥが判定する場合、ステップ１５１０において、ＵＥは、後続のページングサイクルにおいてページをモニタし、第１の周波数においてマルチキャスト／ブロードキャスト情報を受信するために第１の周波数に切り替え戻し得る。たとえば、図１０を参照すると、ＵＥは、ページングサイクル１０５０よりも前のページングサイクルの間に第１の周波数においてページ１００２をモニタする。ＵＥは、第２の周波数においてマルチキャスト／ブロードキャスト情報１０１２、１０１４、１０１６を受信するためにページングサイクル１０５０の間に第２の周波数に切り替わる（１００４）。ＵＥは、既定の時刻の前に第２の周波数においてマルチキャスト／ブロードキャスト情報１０１２、１０１４、１０１６を受信するように試みる。ＵＥは、既定の時刻の前に第２の周波数においてマルチキャスト／ブロードキャスト情報１０１２、１０１４、１０１６を受信し、マルチキャスト／ブロードキャスト情報中の識別されたセッションがストリーミングまたはダウンロードを望まれないと判定する。ＵＥは、ページングサイクル１０５０においてページ１０２６をモニタし、第１の周波数においてマルチキャスト／ブロードキャスト情報１０２０、１０２２、１０２４を受信するために、第１の周波数に切り替え戻す（１０１８）。
【００５６】
ステップ１５１２において、第２の周波数が第１の周波数と同じトラッキングエリアコードを有しないとＵＥが判定する場合、ステップ１５１６において、ＵＥは、後続のページングサイクルにおいてページを受信するために既定の時刻を過ぎて第２の周波数にとどまり得る。ステップ１５１８では、ＵＥは、任意の残りのマルチキャスト／ブロードキャスト情報を受信するために後続のページングサイクルを過ぎて第２の周波数にとどまり得る。たとえば、図１０を参照すると、ＵＥは、第１の周波数において現在のページングサイクル１０５０の間にページ１０２６をモニタする。ＵＥは、第２の周波数においてマルチキャスト／ブロードキャスト情報を受信するために現在のページングサイクル１０５０の後に第２の周波数に切り替わる（１０２８）。ＵＥは、既定の時刻の前に第２の周波数においてマルチキャスト／ブロードキャスト情報を受信するように試みる。しかしながら、ＵＥは、第２の周波数においてＳＩＢ１３  １０３６を受信するか、または正常に復号するにすぎない。ＵＥは、既定の時刻の前にすべてのマルチキャスト／ブロードキャスト情報を受信できるとは限らないと判定する。次いで、ＵＥは、第２の周波数が第１の周波数と同じトラッキングエリアコードを有すると判定する。ＵＥは、後続のページングサイクル１０５２においてページ１０６８を受信するために既定の時刻を過ぎて第２の周波数にとどまることを決定する。ＵＥは、任意の残りのマルチキャスト／ブロードキャスト情報１０７０、１０７２、１０７４を受信するために後続のページングサイクル１０５２を過ぎて第２の周波数にとどまる。
【００５７】
図１６は、例示的な装置１６０１中の異なるモジュール／手段／構成要素間のデータフローを示す概念データフロー図１６００である。本装置は、第１の周波数において現在のページングサイクルの間にページをモニタするように構成されたページモニタモジュール１６０２を含み得る。本装置は、第２の周波数においてマルチキャスト／ブロードキャスト情報を受信するために現在のページングサイクルの後に第２の周波数に切り替わるように構成された周波数切り替えモジュール１６０４をさらに含み得る。本装置は、既定の時刻の前に第２の周波数においてマルチキャスト／ブロードキャスト情報１６１２を受信するように試みるように構成されたマルチキャスト／ブロードキャスト処理モジュール１６０６をさらに含み得る。既定の時刻は、第１の周波数において後続のページングサイクルでページの少なくとも１つが受信され得るか、または第１の周波数においてマルチキャスト／ブロードキャスト情報が受信され得るかの最先の時刻であり得る。
【００５８】
マルチキャスト／ブロードキャスト処理モジュール１６０６は、第１の周波数においてマルチキャスト／ブロードキャストサービスを受信するように構成され得る。加えて、マルチキャスト／ブロードキャスト処理モジュール１６０６は、第２の周波数に切り替わるために第１の周波数においてマルチキャスト／ブロードキャストサービスのマルチキャスト／ブロードキャストデータ１６１４を受信することを控えるように構成され得る。さらに、周波数切り替えモジュール１６０４は、第１の周波数においてマルチキャスト／ブロードキャストサービスのマルチキャスト／ブロードキャスト情報が受信され得るたびに第１の周波数に切り替え戻すように構成され得る。
【００５９】
マルチキャスト／ブロードキャスト処理モジュール１６０６は、第２の周波数においてシステム情報を受信するように構成され得る。加えて、マルチキャスト／ブロードキャスト処理モジュール１６０６は、システム情報に基づいて第２の周波数において制御情報を受信するように構成され得る。制御情報は、マルチキャスト／ブロードキャストサービスのセッションに関連する識別子を含み得る。マルチキャスト／ブロードキャスト処理モジュール１６０６は、識別子が所望のセッションに関連するかどうかを判定するように構成され得る所望セッション識別子モジュール１６０８に識別子を与え得る。識別子が所望のセッションに関連がないとき、周波数切り替えモジュール１６０４は、後続のページングサイクルでページをモニタし、既定の時刻の前に第１の周波数においてマルチキャスト／ブロードキャスト情報を受信するために、第１の周波数に切り替え戻すように構成され得る。識別子が所望のセッションに関連するとき、周波数切り替えモジュール１６０４は、マルチキャスト／ブロードキャストサービスの所望のセッションを受信するために第２の周波数にとどまるように構成され得る。
【００６０】
周波数切り替えモジュール１６０４は、後続のページングサイクルにおいてページをモニタし、第２の周波数においてシステム情報または制御情報のうちの少なくとも１つを受信することなく第１の周波数においてマルチキャスト／ブロードキャスト情報を受信するために、既定の時刻に第１の周波数に切り替え戻すように構成され得る。周波数切り替えモジュール１６０４は、後続のページングサイクルでページをモニタし、第１の周波数においてマルチキャスト／ブロードキャスト情報を受信するために、第１の周波数に切り替え戻すように構成され得る。
【００６１】
マルチキャスト／ブロードキャスト処理モジュール１６０６は、既定の時刻の前にすべてのマルチキャスト／ブロードキャスト情報を受信できるとは限らないかどうかを判定するように構成され得る。加えて、マルチキャスト／ブロードキャスト処理モジュール１６０６は、既定の時刻の前にすべてのマルチキャスト／ブロードキャスト情報を受信できるとは限らないとき、第２の周波数が第１の周波数と同じトラッキングエリアコードを有するかどうかを判定するように構成され得る。加えて、周波数切り替えモジュール１６０４は、第１の周波数と第２の周波数とが同じトラッキングエリアコードを有するとき、後続のページングサイクルにおいてページを受信するために既定の時刻を過ぎて第２の周波数にとどまるように構成され得る。さらに、周波数切り替えモジュール１６０４は、任意の残りのマルチキャスト／ブロードキャスト情報を受信するために後続のページングサイクルを過ぎて第２の周波数にとどまるように構成され得る。
【００６２】
本装置は、上述のフローチャート中のアルゴリズムのステップの各々を実行する追加のモジュールを含み得る。したがって、上述のフローチャート内の各ステップは、１つのモジュールによって実行され得、装置は、それらのモジュールのうちの１つまたは複数を含み得る。それらのモジュールは、述べられたプロセス／アルゴリズムを行うように特に構成された１つまたは複数のハードウェア構成要素であるか、述べられたプロセス／アルゴリズムを実行するように構成されたプロセッサによって実装されるか、プロセッサによる実装のためにコンピュータ可読媒体内に記憶されるか、またはそれらの何らかの組合せであり得る。
【００６３】
図１７は、処理システム１７１４を採用する装置１６０１’のためのハードウェア実装形態の一例を示す図１７００である。処理システム１７１４は、バス１７２４によって概略的に表されるバスアーキテクチャを用いて実装され得る。バス１７２４は、処理システム１７１４の特定の適用例および全体的な設計制約に応じて、任意の数の相互接続バスおよびブリッジを含み得る。バス１７２４は、プロセッサ１７０４、モジュール１６０２、１６０４、１６０６、１６０８、およびコンピュータ可読媒体１７０６によって表される１つまたは複数のプロセッサおよび／またはハードウェアモジュールを含む様々な回路を互いにリンクする。バス１７２４はまた、タイミングソース、周辺機器、電圧調整器、および電力管理回路など、様々な他の回路をリンクし得るが、これらの回路は当技術分野においてよく知られており、したがって、これ以上説明しない。
【００６４】
処理システム１７１４は、トランシーバ１７１０に結合され得る。トランシーバ１７１０は、１つまたは複数のアンテナ１７２０に結合される。トランシーバ１７１０は、伝送媒体を介して様々な他の装置と通信するための手段を与える。処理システム１７１４は、コンピュータ可読媒体１７０６に結合されたプロセッサ１７０４を含む。プロセッサ１７０４は、コンピュータ可読媒体１７０６に記憶されたソフトウェアの実行を含む一般的な処理を担う。ソフトウェアは、プロセッサ１７０４によって実行されたとき、処理システム１７１４に、任意の特定の装置のための上記で説明した様々な機能を実行させる。コンピュータ可読媒体１７０６はまた、ソフトウェアを実行するときにプロセッサ１７０４によって操作されるデータを記憶するために使用され得る。処理システムは、モジュール１６０２とモジュール１６０４とモジュール１６０６とモジュール１６０８とをさらに含む。モジュールは、コンピュータ可読媒体１７０６に常駐する／記憶されたプロセッサ１７０４の中で実行中のソフトウェアモジュール、プロセッサ１７０４に結合した１つまたは複数のハードウェアモジュール、または何らかのそれらの組合せであり得る。処理システム１７１４は、ＵＥ６５０の構成要素である可能性があり、メモリ６６０、および／またはＴＸプロセッサ６６８、ＲＸプロセッサ６５６、およびコントローラ／プロセッサ６５９のうちの少なくとも１つを含み得る。
【００６５】
一構成では、ワイヤレス通信用の装置１６０１／１６０１’は、第１の周波数において現在のページングサイクルの間にページをモニタするための手段と、第２の周波数においてマルチキャスト／ブロードキャスト情報を受信するために現在のページングサイクルの後に第２の周波数に切り替わるための手段と、既定時刻の前に第２の周波数においてマルチキャスト／ブロードキャスト情報を受信するように試みるための手段とを含む。本装置は、第１の周波数においてマルチキャスト／ブロードキャストサービスを受信するための手段と、第２の周波数に切り替わるために第１の周波数においてマルチキャスト／ブロードキャストサービスのマルチキャスト／ブロードキャストデータを受信することを控えるための手段と、第１の周波数においてマルチキャスト／ブロードキャストサービスのマルチキャスト／ブロードキャスト情報が受信され得るたびに第１の周波数に切り替え戻すための手段とをさらに含み得る。本装置は、第２の周波数においてシステム情報を受信するための手段と、制御情報がマルチキャスト／ブロードキャストサービスのセッションに関連する識別子を含むシステム情報に基づいて第２の周波数において制御情報を受信するための手段と、識別子が所望のセッションに関連するかどうかを判定するための手段とをさらに含み得る。本装置は、後続のページングサイクルにおいてページをモニタし、第２の周波数においてシステム情報または制御情報のうちの少なくとも１つを受信することなく第１の周波数においてマルチキャスト／ブロードキャスト情報を受信するために、既定の時刻に第１の周波数に切り替え戻すための手段をさらに含み得る。本装置は、後続のページングサイクルでページをモニタし、第１の周波数においてマルチキャスト／ブロードキャスト情報を受信するために、第１の周波数に切り替え戻すための手段をさらに含み得る。本装置は、既定の時刻の前にすべてのマルチキャスト／ブロードキャスト情報を受信できるとは限らないかどうかを判定するための手段と、既定の時刻の前にすべてのマルチキャスト／ブロードキャスト情報を受信できるとは限らないとき第２の周波数が第１の周波数と同じトラッキングエリアコードを有するかどうかを判定するための手段と、第１の周波数と第２の周波数とが同じトラッキングエリアコードを有するとき後続のページングサイクルにおいてページを受信するために既定の時刻を過ぎて第２の周波数にとどまるための手段と、任意の残りのマルチキャスト／ブロードキャスト情報を受信するために後続のページングサイクルを過ぎて第２の周波数にとどまるための手段とをさらに含み得る。上述の手段は、上述の手段によって具陳される機能を実行するように構成された、装置１６０１、および／または装置１６０１’の処理システム１７１４の上述のモジュールのうちの１つまたは複数であり得る。上記で説明したように、処理システム１７１４は、ＴＸプロセッサ６６８と、ＲＸプロセッサ６５６と、コントローラ／プロセッサ６５９とを含み得る。したがって、一構成では、上述の手段は、上述の手段によって具陳された機能を実行するように構成されたＴＸプロセッサ６６８、ＲＸプロセッサ６５６、およびコントローラ／プロセッサ６５９であり得る。
【００６６】
開示したプロセスにおけるステップの特定の順序または階層は、例示的な手法の一例であることを理解されたい。設計上の選好に基づいて、プロセスにおけるステップの特定の順序または階層は並べ替えることができることを理解されたい。さらに、いくつかのステップは組み合わせられるかまたは省略され得る。添付の方法クレームは、様々なステップの要素を例示的な順序で提示したものであり、提示された特定の順序または階層に限定されるものではない。
【００６７】
以上の説明は、当業者が本明細書で説明した様々な態様を実行できるようにするために提供したものである。これらの態様に対する様々な変更は当業者には容易に明らかであり、本明細書で定義した一般的原理は他の態様に適用され得る。したがって、特許請求の範囲は、本明細書に示された態様に限定されるものではなく、特許請求の言い回しに矛盾しない全範囲を与えられるべきであり、単数形の要素への言及は、そのように明記されていない限り、「唯一無二の」を意味するものではなく、「１つまたは複数の」を意味するものである。別段に明記されていない限り、「いくつかの」という語は「１つまたは複数の」を表す。当業者に知られている、または後に知られることになる、本開示全体にわたって説明した様々な態様の要素のすべての構造的および機能的均等物は、参照により本明細書に明白に組み込まれ、特許請求の範囲に包含されるものである。さらに、本明細書に開示したいかなることも、そのような開示が特許請求の範囲に明示的に具陳されているかどうかにかかわらず、公に供するものではない。いかなるクレーム要素も、その要素が「のための手段」という語句を使用して明確に具陳されていない限り、ミーンズプラスファンクションとして解釈されるべきではない。
以下に、本願出願の当初の特許請求の範囲に記載された発明を付記する。
［Ｃ１］  第１の周波数において現在のページングサイクルの間にページをモニタすることと、
第２の周波数においてマルチキャスト／ブロードキャスト情報を受信するために前記現在のページングサイクルの後に前記第２の周波数に切り替わることと、
既定の時刻の前に前記第２の周波数において前記マルチキャスト／ブロードキャスト情報を受信するように試みることと
を備える、ワイヤレス通信の方法。
［Ｃ２］  前記既定の時刻は、前記第１の周波数において後続のページングサイクルで前記ページの少なくとも１つが受信されることができる、または前記第１の周波数においてマルチキャスト／ブロードキャスト情報が受信されることができるかの最先の時刻である、Ｃ１に記載の方法。
［Ｃ３］  前記第１の周波数においてマルチキャスト／ブロードキャストサービスを受信することと、
前記第２の周波数に切り替わるために前記第１の周波数において前記マルチキャスト／ブロードキャストサービスのマルチキャスト／ブロードキャストデータを受信することを控えることと、
前記第１の周波数において前記マルチキャスト／ブロードキャストサービスのマルチキャスト／ブロードキャスト情報が受信されることができるたびに前記第１の周波数に切り替え戻すことと
をさらに備える、Ｃ２に記載の方法。
［Ｃ４］  前記マルチキャスト／ブロードキャスト情報は、マルチキャスト／ブロードキャストサービスに関連するシステム情報と制御情報とを備え、前記方法は、
前記第２の周波数において前記システム情報を受信することと、
前記システム情報に基づいて前記第２の周波数において前記制御情報を受信することと、ここで、前記制御情報は、前記マルチキャスト／ブロードキャストサービスのセッションに関連する識別子を含む、
前記識別子が所望のセッションに関連するかどうかを判定することと
をさらに備える、Ｃ１に記載の方法。
［Ｃ５］  前記識別子が前記所望のセッションに関連がないとき、前記方法は、後続のページングサイクルで前記ページをモニタし、前記既定の時刻の前に前記第１の周波数においてマルチキャスト／ブロードキャスト情報を受信するために、前記第１の周波数に切り替え戻すことをさらに備える、
Ｃ４に記載の方法。
［Ｃ６］  前記識別子が前記所望のセッションに関連するとき、前記方法は、前記マルチキャスト／ブロードキャストサービスの前記所望のセッションを受信するために前記第２の周波数にとどまることをさらに備える、
Ｃ４に記載の方法。
［Ｃ７］  前記マルチキャスト／ブロードキャスト情報はマルチキャスト／ブロードキャストサービスに関連するシステム情報と制御情報とを備え、前記方法は、後続のページングサイクルにおいて前記ページをモニタし、前記第２の周波数において前記システム情報または前記制御情報のうちの少なくとも１つを受信することなく前記第１の周波数においてマルチキャスト／ブロードキャスト情報を受信するために、前記既定の時刻に前記第１の周波数に切り替え戻すことをさらに備える、
Ｃ１に記載の方法。
［Ｃ８］  後続のページングサイクルで前記ページをモニタし、前記第１の周波数においてマルチキャスト／ブロードキャスト情報を受信するために、前記第１の周波数に切り替え戻すことをさらに備える、
Ｃ１に記載の方法。
［Ｃ９］  前記既定の時刻の前にすべての前記マルチキャスト／ブロードキャスト情報を受信できるとは限らないかどうかを判定することと、
前記既定の時刻の前にすべての前記マルチキャスト／ブロードキャスト情報を受信できるとは限らないとき、前記第２の周波数が前記第１の周波数と同じトラッキングエリアコードを有するかどうかを判定することと、
前記第１の周波数と前記第２の周波数とが同じトラッキングエリアコードを有するとき、後続のページングサイクルにおいて前記ページを受信するために前記既定の時刻を過ぎて前記第２の周波数にとどまることと、
任意の残りのマルチキャスト／ブロードキャスト情報を受信するために前記後続のページングサイクルを過ぎて前記第２の周波数にとどまることと
をさらに備える、Ｃ１に記載の方法。
［Ｃ１０］  前記マルチキャスト／ブロードキャスト情報は、システム情報と制御情報とを備え、前記システム情報は、システム情報ブロック（ＳＩＢ）を備え、前記制御情報は、発展型マルチキャストブロードキャストマルチメディアサービス（ｅＭＢＭＳ）に関連するマルチキャスト／ブロードキャストエリア構成メッセージを備える、
Ｃ１に記載の方法。
［Ｃ１１］  前記マルチキャスト／ブロードキャストエリア構成メッセージは、マルチキャスト制御チャネル（ＭＣＣＨ）上で受信される、
Ｃ１０に記載の方法。
［Ｃ１２］  前記ＭＣＣＨの繰返し周期は、後続のページングサイクルの開始と、前記現在のページングサイクルの開始との間の時間差に等しいページングサイクルの半分未満である、Ｃ１１に記載の方法。
［Ｃ１３］  前記ページングサイクルは、最大のデフォルトページングサイクルに設定される、Ｃ１２に記載の方法。
［Ｃ１４］  前記方法は、マルチキャスト／ブロードキャストサービスを受信しない間にアイドル状態であるユーザ機器（ＵＥ）が実行する、
Ｃ１に記載の方法。
［Ｃ１５］  無線フレーム境界およびシステムフレーム番号（ＳＦＮ）は、前記第１の周波数および前記第２の周波数において同期する、
Ｃ１に記載の方法。
［Ｃ１６］  第１の周波数において現在のページングサイクルの間にページをモニタするための手段と、
第２の周波数においてマルチキャスト／ブロードキャスト情報を受信するために前記現在のページングサイクルの後に前記第２の周波数に切り替わるための手段と、
既定の時刻の前に前記第２の周波数において前記マルチキャスト／ブロードキャスト情報を受信するように試みるための手段と
を備える、ワイヤレス通信用の装置。
［Ｃ１７］  前記既定の時刻は、前記第１の周波数において後続のページングサイクルで前記ページの少なくとも１つが受信されることができるか、または前記第１の周波数においてマルチキャスト／ブロードキャスト情報が受信されることができるかの最先の時刻である、Ｃ１６に記載の装置。
［Ｃ１８］  前記第１の周波数においてマルチキャスト／ブロードキャストサービスを受信するための手段と、
前記第２の周波数に切り替わるために前記第１の周波数において前記マルチキャスト／ブロードキャストサービスのマルチキャスト／ブロードキャストデータを受信することを控えるための手段と、
前記第１の周波数において前記マルチキャスト／ブロードキャストサービスのマルチキャスト／ブロードキャスト情報が受信されることができるたびに前記第１の周波数に切り替え戻すための手段と
をさらに備える、Ｃ１７に記載の装置。
［Ｃ１９］  前記マルチキャスト／ブロードキャスト情報は、マルチキャスト／ブロードキャストサービスに関連するシステム情報と制御情報とを備え、前記装置は、
前記第２の周波数において前記システム情報を受信するための手段と、
前記システム情報に基づいて前記第２の周波数において前記制御情報を受信するための手段と、ここで、前記制御情報は、前記マルチキャスト／ブロードキャストサービスのセッションに関連する識別子を含む、
前記識別子が所望のセッションに関連するかどうかを判定するための手段とをさらに備える、Ｃ１６に記載の装置。
［Ｃ２０］  前記識別子が前記所望のセッションに関連がないとき、前記切り替わるための手段は、後続のページングサイクルで前記ページをモニタし、前記既定の時刻の前に前記第１の周波数においてマルチキャスト／ブロードキャスト情報を受信するために、前記第１の周波数に切り替え戻す、
Ｃ１９に記載の装置。
［Ｃ２１］  前記識別子が前記所望のセッションに関連するとき、前記切り替わるための手段は、前記マルチキャスト／ブロードキャストサービスの前記所望のセッションを受信するために前記第２の周波数にとどまる、
Ｃ１９に記載の装置。
［Ｃ２２］  前記マルチキャスト／ブロードキャスト情報はマルチキャスト／ブロードキャストサービスに関連するシステム情報と制御情報とを備え、前記装置は、後続のページングサイクルにおいて前記ページをモニタし、前記第２の周波数において前記システム情報または前記制御情報のうちの少なくとも１つを受信することなく前記第１の周波数においてマルチキャスト／ブロードキャスト情報を受信するために、前記既定の時刻に前記第１の周波数に切り替え戻すための手段をさらに備える、
Ｃ１６に記載の装置。
［Ｃ２３］  後続のページングサイクルで前記ページをモニタし、前記第１の周波数においてマルチキャスト／ブロードキャスト情報を受信するために、前記第１の周波数に切り替え戻すための手段をさらに備える、
Ｃ１６に記載の装置。
［Ｃ２４］  前記既定の時刻の前にすべての前記マルチキャスト／ブロードキャスト情報を受信できるとは限らないかどうかを判定するための手段と、
前記既定の時刻の前にすべての前記マルチキャスト／ブロードキャスト情報を受信できるとは限らないとき、前記第２の周波数が前記第１の周波数と同じトラッキングエリアコードを有するかどうかを判定するための手段と、
前記第１の周波数と前記第２の周波数とが同じトラッキングエリアコードを有するとき、後続のページングサイクルにおいて前記ページを受信するために前記既定の時刻を過ぎて前記第２の周波数にとどまるための手段と、
任意の残りのマルチキャスト／ブロードキャスト情報を受信するために前記後続のページングサイクルを過ぎて前記第２の周波数にとどまるための手段と
をさらに備える、Ｃ１６に記載の装置。
［Ｃ２５］  前記マルチキャスト／ブロードキャスト情報は、システム情報と制御情報とを備え、前記システム情報は、システム情報ブロック（ＳＩＢ）を備え、前記制御情報は、発展型マルチキャストブロードキャストマルチメディアサービス（ｅＭＢＭＳ）に関連するマルチキャスト／ブロードキャストエリア構成メッセージを備える、
Ｃ１６に記載の装置。
［Ｃ２６］  前記マルチキャスト／ブロードキャストエリア構成メッセージは、マルチキャスト制御チャネル（ＭＣＣＨ）上で受信される、
Ｃ２５に記載の装置。
［Ｃ２７］  前記ＭＣＣＨの繰返し周期は、後続のページングサイクルの開始と、前記現在のページングサイクルの開始との間の時間差に等しいページングサイクルの半分未満である、Ｃ２６に記載の装置。
［Ｃ２８］  前記ページングサイクルは、最大のデフォルトページングサイクルに設定される、Ｃ２７に記載の装置。
［Ｃ２９］  前記装置は、マルチキャスト／ブロードキャストサービスを受信しない間にアイドル状態である、ユーザ機器（ＵＥ）である、
Ｃ１６に記載の装置。
［Ｃ３０］  無線フレーム境界およびシステムフレーム番号（ＳＦＮ）は、前記第１の周波数および前記第２の周波数において同期する、
Ｃ１６に記載の装置。
［Ｃ３１］  第１の周波数において現在のページングサイクルの間にページをモニタし、
第２の周波数においてマルチキャスト／ブロードキャスト情報を受信するために前記現在のページングサイクルの後に前記第２の周波数に切り替わり、
既定の時刻の前に前記第２の周波数において前記マルチキャスト／ブロードキャスト情報を受信するように試みる
ように構成された処理システム
を備える、ワイヤレス通信用の装置。
［Ｃ３２］  前記既定の時刻は、前記第１の周波数において後続のページングサイクルで前記ページの少なくとも１つが受信されることができるか、または前記第１の周波数においてマルチキャスト／ブロードキャスト情報が受信されることができるかの最先の時刻である、Ｃ３１に記載の装置。
［Ｃ３３］  前記処理システムは、
前記第１の周波数においてマルチキャスト／ブロードキャストサービスを受信し、
前記第２の周波数に切り替わるために前記第１の周波数において前記マルチキャスト／ブロードキャストサービスのマルチキャスト／ブロードキャストデータを受信することを控え、
前記第１の周波数において前記マルチキャスト／ブロードキャストサービスのマルチキャスト／ブロードキャスト情報が受信されることができるたびに前記第１の周波数に切り替え戻す
ようにさらに構成される、Ｃ３２に記載の装置。
［Ｃ３４］  前記マルチキャスト／ブロードキャスト情報は、マルチキャスト／ブロードキャストサービスに関連するシステム情報と制御情報とを備え、前記処理システムは、
前記第２の周波数において前記システム情報を受信し、
前記マルチキャスト／ブロードキャストサービスのセッションに関連する識別子を含む前記制御情報を、前記システム情報に基づいて前記第２の周波数において受信し、
前記識別子が所望のセッションに関連するかどうかを判定する
ようにさらに構成される、Ｃ３１に記載の装置。
［Ｃ３５］  前記識別子が前記所望のセッションに関連がないとき、前記処理システムは、後続のページングサイクルで前記ページをモニタし、前記既定の時刻の前に前記第１の周波数においてマルチキャスト／ブロードキャスト情報を受信するために、前記第１の周波数に切り替え戻すようにさらに構成される、
Ｃ３４に記載の装置。
［Ｃ３６］  前記識別子が前記所望のセッションに関連するとき、前記処理システムは、前記マルチキャスト／ブロードキャストサービスの前記所望のセッションを受信するために前記第２の周波数にとどまるようにさらに構成される、
Ｃ３４に記載の装置。
［Ｃ３７］  前記マルチキャスト／ブロードキャスト情報はマルチキャスト／ブロードキャストサービスに関連するシステム情報と制御情報とを備え、前記処理システムは、後続のページングサイクルにおいて前記ページをモニタし、前記第２の周波数において前記システム情報または前記制御情報のうちの少なくとも１つを受信することなく前記第１の周波数においてマルチキャスト／ブロードキャスト情報を受信するために、前記既定の時刻に前記第１の周波数に切り替え戻すようにさらに構成される、
Ｃ３１に記載の装置。
［Ｃ３８］  前記処理システムは、後続のページングサイクルで前記ページをモニタし、前記第１の周波数においてマルチキャスト／ブロードキャスト情報を受信するために、前記第１の周波数に切り替え戻すようにさらに構成される、
Ｃ３１に記載の装置。
［Ｃ３９］  前記処理システムは、
前記既定の時刻の前にすべての前記マルチキャスト／ブロードキャスト情報を受信できるとは限らないかどうかを判定し、
前記既定の時刻の前にすべての前記マルチキャスト／ブロードキャスト情報を受信できるとは限らないとき、前記第２の周波数が前記第１の周波数と同じトラッキングエリアコードを有するかどうかを判定し、
前記第１の周波数と前記第２の周波数とが同じトラッキングエリアコードを有するとき、後続のページングサイクルにおいて前記ページを受信するために前記既定の時刻を過ぎて前記第２の周波数にとどまり、
任意の残りのマルチキャスト／ブロードキャスト情報を受信するために前記後続のページングサイクルを過ぎて前記第２の周波数にとどまる
ようにさらに構成される、Ｃ３１に記載の装置。
［Ｃ４０］  前記マルチキャスト／ブロードキャスト情報は、システム情報と制御情報とを備え、前記システム情報は、システム情報ブロック（ＳＩＢ）を備え、前記制御情報は、発展型マルチキャストブロードキャストマルチメディアサービス（ｅＭＢＭＳ）に関連するマルチキャスト／ブロードキャストエリア構成メッセージを備える、
Ｃ３１に記載の装置。
［Ｃ４１］  前記マルチキャスト／ブロードキャストエリア構成メッセージは、マルチキャスト制御チャネル（ＭＣＣＨ）上で受信される、
Ｃ４０に記載の装置。
［Ｃ４２］  前記ＭＣＣＨの繰返し周期は、後続のページングサイクルの開始と、前記現在のページングサイクルの開始との間の時間差に等しいページングサイクルの半分未満である、Ｃ４１に記載の装置。
［Ｃ４３］  前記ページングサイクルは、最大のデフォルトページングサイクルに設定される、Ｃ４２に記載の装置。
［Ｃ４４］  前記装置は、マルチキャスト／ブロードキャストサービスを受信しない間にアイドル状態でユーザ機器（ＵＥ）である、
Ｃ３１に記載の装置。
［Ｃ４５］  無線フレーム境界およびシステムフレーム番号（ＳＦＮ）は、前記第１の周波数および前記第２の周波数において同期する、
Ｃ３１に記載の装置。
［Ｃ４６］  第１の周波数において現在のページングサイクルの間にページをモニタすることと、
第２の周波数においてマルチキャスト／ブロードキャスト情報を受信するために前記現在のページングサイクルの後に前記第２の周波数に切り替わることと、
既定の時刻の前に前記第２の周波数において前記マルチキャスト／ブロードキャスト情報を受信するように試みることと
を行うためのコードを備えるコンピュータ可読媒体
を備えるコンピュータプログラム製品。
【図１】
0005813886.tif 000002
【図２】
0005813886.tif 000003
【図３】
0005813886.tif 000004
【図４】
0005813886.tif 000005
【図５】
0005813886.tif 000006
【図６】
0005813886.tif 000007
【図８】
0005813886.tif 000008
【図１１】
0005813886.tif 000009
【図１２】
0005813886.tif 000010
【図１３】
0005813886.tif 000011
【図１４】
0005813886.tif 000012
【図１５】
0005813886.tif 000013
【図１６】
0005813886.tif 000014
【図１７】
0005813886.tif 000015
【図７】
0005813886.tif 000016
【図９】
0005813886.tif 000017
【図１０】
0005813886.tif 000018